(57)【特許請求の範囲】
【請求項１】
電子部品が実装された制御基板と、
前記制御基板を収容する基板ケースと、
所定の機器によって非接触で読み取り可能な識別情報を有するシールと、
を備えた遊技台であって、
前記基板ケースとは別体に構成され、前記シールを破損させるための破損手段と、
前記シールの少なくとも一部を覆う被覆手段と、を備え、
前記基板ケースは、前記被覆手段が第一の位置にある場合には、該被覆手段によって開封が阻止されるとともに、前記被覆手段が第二の位置にある場合には、開封が許容され、
前記基板ケースは、前記制御基板の部品実装面を覆う第一のカバー体、および、前記制御基板の前記部品実装面の裏面を覆う第二のカバー体を少なくとも含んで構成され、
前記シールは、前記第一のカバー体の外面の少なくとも一部を覆う第一の部位、前記制御基板が前記基板ケースに収容された状態において前記第一のカバー体と前記第二のカバー体との間に形成される隙間の少なくとも一部を覆う第二の部位、および前記第二のカバー体の外面の少なくとも一部を覆う第三の部位によって構成され、
前記破損手段は、前記被覆手段の前記第一の位置から前記第二の位置への移動に伴って、前記第一の部位の少なくとも一部と、前記第二の部位の少なくとも一部と、を少なくとも破損させるように構成されている、
ことを特徴とする遊技台。
【発明の詳細な説明】
【技術分野】
【０００１】
本発明は、回胴遊技機（スロットマシン）や弾球遊技機（パチンコ機）に代表される遊技台に関する。
【背景技術】
【０００２】
従来、パチンコ機に代表される遊技台は、発射装置から球を発射し、所定の遊技領域に設けられた所定の入賞口に球が入球することで所定の利益を獲得できるように構成されている。このような遊技台は、ＣＰＵやＲＯＭ、ＲＡＭ等からなる遊技制御基板を備え、この遊技制御基板によって遊技球の払い出し等を制御している。このため、制御プログラムや抽選データ等が記憶されたＲＯＭを交換する等、様々な不正行為が遊技制御基板に対して行われる場合があった。
【０００３】
このような不正行為の防止を強化する観点から、遊技制御基板を内部に収納する基板ケース（基板収納ケース）を封印すると共に、基板ケースを開封（開放）したときに、その開封を行った痕跡が残るように構成された基板ケースの不正開放防止機構が提案されている（例えば、特許文献１参照）。
【先行技術文献】
【特許文献】
【０００４】
【特許文献１】特開２００４−２８３４４５号公報
【発明の概要】
【発明が解決しようとする課題】
【０００５】
しかしながら、近年では、不正行為の手口がより巧妙になり、基板収納ケースの不正開放防止機構だけでは、遊技制御基板に対する不正行為の撲滅までには届かず、より効果的な、さらなる不正防止対策が求められてきている。このため、さらなる不正防止対策として従来技術の基板収納ケースに遊技台固有の識別情報を記憶したＩＣタグシール（ＩＤ読取器に所定の情報（例えば遊技台固有の識別情報）を報知する報知手段の一例）を貼付し、ＩＣタグシールの識別情報を専用のＩＤ読取器にて読取り、遊技制御基板（基板収納ケース含む）が正規の基板か、または不正に交換された基板かを識別して、遊技台に取り付けられた遊技制御基板の管理を行う試みがなされている。
【０００６】
しかしながら、このＩＣタグシールを利用した不正防止対策については、基板収納ケースに貼付されたＩＣタグシールを生かした状態での不正行為が懸念されるという問題があった。
【０００７】
本発明は、このような問題点を解決するためになされたものであって、破損手段で報知手段を破損させることができ、不正者による報知手段の再利用を防止することができる遊技台を提供しようとするものである。
【課題を解決するための手段】
【０００８】
本発明は、電子部品が実装された制御基板と、前記制御基板を収容する基板ケースと、所定の機器によって非接触で読み取り可能な識別情報を有するシールと、を備えた遊技台であって、前記基板ケースとは別体に構成され、前記シールを破損させるための破損手段と、前記シールの少なくとも一部を覆う被覆手段と、を備え、前記基板ケースは、前記被覆手段が第一の位置にある場合には、該被覆手段によって開封が阻止されるとともに、前記被覆手段が第二の位置にある場合には、開封が許容され、前記基板ケースは、前記制御基板の部品実装面を覆う第一のカバー体、および、前記制御基板の前記部品実装面の裏面を覆う第二のカバー体を少なくとも含んで構成され、前記シールは、前記第一のカバー体の外面の少なくとも一部を覆う第一の部位、前記制御基板が前記基板ケースに収容された状態において前記第一のカバー体と前記第二のカバー体との間に形成される隙間の少なくとも一部を覆う第二の部位、および前記第二のカバー体の外面の少なくとも一部を覆う第三の部位によって構成され、前記破損手段は、前記被覆手段の前記第一の位置から前記第二の位置への移動に伴って、前記第一の部位の少なくとも一部と、前記第二の部位の少なくとも一部と、を少なくとも破損させるように構成されている、ことを特徴とする遊技台ことを特徴とする遊技台である。
【発明の効果】
【０００９】
本発明に係る遊技台によれば、破損手段で報知手段を破損させることができ、不正者による報知手段の再利用を防止することができるという優れた効果を奏し得る。
【図面の簡単な説明】
【００１０】
【図１】パチンコ機を正面側（遊技者側）から見た外観斜視図である。
【図２】同パチンコ機を背面側から見た外観図である。
【図３】遊技盤を正面から見た略示正面図である。
【図４】制御部の回路ブロック図を示したものである。
【図５】主基板と主基板ケースを分解して示す分解斜視図である。
【図６】ＩＣタグシール設置部の周辺を拡大して示す部分拡大図である。
【図７】（ａ）第１の例に係るＩＣタグシールの表面を示した図である。（ｂ）同ＩＣタグシールの裏面を示した図である。（ｃ）（ｂ）におけるＡ−Ａ線に沿う断面図である。
【図８】（ａ）第２の例に係るＩＣタグシールの表面を示した図である。（ｂ）同ＩＣタグシールの裏面を示した図である。（ｃ）（ｂ）におけるＢ−Ｂ線に沿う断面図である。
【図９】ＩＣタグシールカバーを開口部から見た外観斜視図である。
【図１０】（ａ）ＩＣタグシールカバーを主基板ケースのＩＣタグシール設置部に取り付ける前の状態を、主基板ケースの蓋体側から見た外観斜視図である。（ｂ）（ａ）におけるＩＣタグシール設置部周辺を拡大して示す部分拡大図である。
【図１１】（ａ）ＩＣタグシールカバーを主基板ケースのＩＣタグシール設置部に取り付ける前の状態を、主基板ケースの基板収納体側から見た外観斜視図である。（ｂ）（ａ）におけるＩＣタグシール設置部周辺を拡大して示す部分拡大図である
【図１２】ＩＣタグシールカバーを主基板ケースのＩＣタグシール設置部に取り付けた後の状態を、主基板ケースの蓋体側から見た外観斜視図である。
【図１３】（ａ）ＩＣタグシールカバーを取り付けた状態の主基板ケースの正面図である。（ｂ）（ａ）のＡ−Ａ線に沿う側断面図である。（ｃ）(ａ)のＢ−Ｂ線に沿う側断面図である。
【図１４】（ａ）ＩＣタグシールカバーを取り付けた状態の主基板ケースの側面図である。（ｂ）（ａ）のＣ−Ｃ線に沿う側断面図である。
【図１５】（ａ）ＩＣタグシールカバーを主基板ケースのＩＣタグシール設置部から取り外している状態を、主基板ケースの蓋体側から見た外観斜視図である。（ｂ）（ａ）におけるＩＣタグシール設置部周辺を拡大して示す部分拡大図である。
【図１６】第１の例に係るＩＣタグシールの切断状態の一例を示した図である。
【図１７】第２の例に係るＩＣタグシールの切断状態の一例を示した図である。
【図１８】（ａ）変形例１に係るＩＣタグシールカバーをＩＣタグシール設置部に取り付ける前の状態を、主基板ケースの蓋体側から見た外観斜視図である。（ｂ）（ａ）におけるＩＣタグシール設置部周辺を拡大して示す部分拡大図である。
【図１９】（ａ）変形例２に係るＩＣタグシールカバーをＩＣタグシール設置部に取り付ける前の状態を、主基板ケースの蓋体側から見た外観斜視図である。（ｂ）ＩＣタグシールカバーを開口部側から見た外観斜視図である。
【図２０】（ａ）変形例２に係るＩＣタグシール設置部からＩＣタグシールカバーを取り外す様子を、主基板ケースの側面側から見た外観斜視図である。（ｂ）（ａ）におけるＩＣタグシール設置部周辺を拡大して示す部分拡大図である。
【図２１】（ａ）変形例３に係るＩＣタグシールカバーをＩＣタグシール設置部に取り付ける前の状態を、主基板ケースの蓋体側から見た外観斜視図である。（ｂ）（ａ）におけるＩＣタグシール設置部周辺を拡大して示す部分拡大図である。
【図２２】（ａ）変形例３に係るＩＣタグシール設置部からＩＣタグシールカバーを取り外す様子を、主基板ケースの側面側から見た外観斜視図である。（ｂ）（ａ）におけるＩＣタグシール設置部周辺を拡大して示す部分拡大図である。
【図２３】変形例３に係るＩＣタグシールカバーの外観斜視図である。
【図２４】（ａ）変形例４に係るＩＣタグシールカバーをＩＣタグシール設置部に取り付ける前の状態を、主基板ケースの蓋体側から見た外観斜視図である。（ｂ）（ａ）におけるＩＣタグシール設置部周辺を拡大して示す部分拡大図である。
【図２５】（ａ）変形例４に係るＩＣタグシール設置部からＩＣタグシールカバーを取り外す様子を、主基板ケースの側面側から見た外観斜視図である。（ｂ）（ａ）におけるＩＣタグシール設置部周辺を拡大して示す部分拡大図である。
【図２６】（ａ）変形例４の他の例に係るＩＣタグシールカバーをＩＣタグシール設置部に取り付ける前の状態を、主基板ケースの蓋体側から見た外観斜視図である。（ｂ）（ａ）におけるＩＣタグシール設置部周辺を拡大して示す部分拡大図である。
【図２７】（ａ）変形例４の他の例に係るＩＣタグシール設置部からＩＣタグシールカバーを取り外す様子を、主基板ケースの側面側から見た外観斜視図である。（ｂ）（ａ）におけるＩＣタグシール設置部周辺を拡大して示す部分拡大図である。
【図２８】（ａ）変形例５に係るＩＣタグシールカバーをＩＣタグシール設置部に取り付ける前の状態を、主基板ケースの蓋体側から見た外観斜視図である。（ｂ）（ａ）におけるＩＣタグシール設置部周辺を拡大して示す部分拡大図である。
【図２９】実施形態２に係る主基板、主基板ケース、取付ベース、およびカバー部材を分解して示す分解斜視図である。
【図３０】取付ベースへの主基板収納ケースの取り付け、およびカバー部材の封印を示した図である。
【図３１】（ａ）カバー部材が閉塞状態で封印された状態を示した図である。（ｂ）カバー部材の封印の解除方法を示した図である。
【図３２】（ａ）および（ｂ）図３１（ａ）および（ｂ）のＡ部拡大図である。
【図３３】実施形態３に係る主基板と主基板ケースを分解して示す分解斜視図である。
【図３４】シールカバー部材の外観斜視図である。
【図３５】（ａ）シールカバー部材の取り付けを示した図である。（ｂ）シールカバー部材を主基板収納ケースに取り付けた状態を示した図である。
【図３６】（ａ）および（ｂ）主基板収納ケースの開放を示した図である。
【図３７】図３６（ａ）のＡ部拡大図である。
【図３８】（ａ）図３６（ｂ）のＢ部拡大図である。（ｂ）図３６（ｂ）のＣ部拡大図である。
【図３９】実施形態４に係る主基板ケースおよびシールカバー部材の構成を示した分解斜視図である。
【図４０】（ａ）および（ｂ）シールカバー部材の取り付け方法を示した図である。
【図４１】（ａ）シールカバー部材が遮蔽位置にあり、突出部材が取り付けられた状態を示した図である。（ｂ）シールカバー部材の取り外し方法を示した図である。
【図４２】突出部材によるＩＣタグシールの破断を拡大して示した図である。
【図４３】実施形態５に係る主基板ケース周囲の構成を示した分解斜視図である。
【図４４】（ａ）および（ｂ）主基板ケースの取付ベースへの取付方法を示した図である。
【図４５】（ａ）〜（ｃ）図４４（ｂ）のＡ部を拡大した断面図である。
【図４６】（ａ）および（ｂ）主基板ケースの取付ベースからの取り外し方法を示した図である。
【図４７】図４６（ｂ）の視線から見たＢ部拡大図である。
【発明を実施するための形態】
【００１１】
以下、図面を用いて、本発明の実施形態１に係る遊技台（例えば、パチンコ機１００等の弾球遊技機やスロット機等の回胴遊技機）について詳細に説明する。
【００１２】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１３】
パチンコ機１００は、外部的構造として、外枠１０２と、本体１０４と、前面枠扉１０６と、球貯留皿付扉１０８と、発射装置１１０と、遊技盤２００と、をその前面に備える。
【００１４】
外枠１０２は、遊技機設置営業店に設けられた設置場所（島設備等）へと固定させるための縦長方形状から成る木製の枠部材である。
【００１５】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１６】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１７】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１８】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１９】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００２０】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００２１】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２２】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００２３】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源管理部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインタフェース部１８６を配設している。なお、主基板ケース１５８の構造については後述する。
【００２４】
図３は、遊技盤２００を正面から見た略示正面図である。遊技盤２００には、外レール２０２と内レール２０４とを配設し、遊技球が転動可能な遊技領域１２４を区画形成している。
【００２５】
遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。
【００２６】
演出装置２０６は、演出可動体２２４を動作して演出を行うものであり、詳細については後述する。
【００２７】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２８】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２９】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３０】
また、この演出装置２０６の周囲には、一般入賞口２２６と、普図始動口２２８と、第１特図始動口２３０と、第２特図始動口２３２と、可変入賞口２３４を配設している。
【００３１】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３２】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００３３】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置による特図変動遊技を開始する。なお、第１特図始動口２３０に入球した球は、パチンコ機１００の裏側に誘導した後、遊技島側に排出する。
【００３４】
第２特図始動口２３２は、電動チューリップ（電チュー）と呼ばれ、本実施例では第１特図始動口２３０の真下に１つだけ配設している。この第２特図始動口２３２は、左右に開閉自在な羽根を備え、羽根の閉鎖中は球の入球が不可能であり、普図変動遊技に当選し、普図表示装置が当たり図柄を停止表示した場合に羽根が所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置による特図変動遊技を開始する。なお、第２特図始動口２３２に入球した球は、パチンコ機１００の裏側に誘導した後、遊技島側に排出する。
【００３５】
可変入賞口２３４は、大入賞口またはアタッカーと呼ばれ、本実施例では遊技盤２００の中央部下方に１つだけ配設している。この可変入賞口２３４は、開閉自在な扉部材を備え、扉部材の閉鎖中は球の入球が不可能であり、特図変動遊技に当選して特図表示装置が大当たり図柄を停止表示した場合に扉部材が所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３６】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００３７】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００３８】
＜演出装置２０６＞
次に、パチンコ機１００の演出装置２０６について説明する。
【００３９】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４０】
ワープ装置２４２は、演出装置２０６の左上方に設けたワープ入口２４２ａに入った遊技球を演出装置２０６の前面下方のステージ２４４にワープ出口２４２ｂから排出する。
【００４１】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００４２】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００４３】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００４４】
＜制御部＞
次に、図４を用いて、このパチンコ機１００の制御部の回路構成について詳細に説明する。なお、同図は制御部の回路ブロック図を示したものである。
【００４５】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源管理部６６０と、によって構成している。
【００４６】
＜主制御部＞
まず、パチンコ機１００の主制御部３００について説明する。
【００４７】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【００４８】
また、基本回路３０２には、水晶発振器３１６ａが出力するクロック信号を受信する度に０〜６５５３５の範囲で数値を変動させるハードウェア乱数カウンタとして使用しているカウンタ回路３１８（この回路には２つのカウンタを内臓しているものとする）と、各始動口、入賞口の入り口および可変入賞口の内部に設けた球検出センサを含む各種センサ３２０が出力する信号を受信し、増幅結果や基準電圧との比較結果をカウンタ回路３１８および基本回路３０２に出力するためのセンサ回路３２２と、第１特図表示装置２１２や第２特図表示装置２１４の表示制御を行うための駆動回路３２４と、普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、第２特図始動口２３２や可変入賞口２３４等を開閉駆動する各種ソレノイド３３２を制御するための駆動回路３３４を接続している。
【００４９】
なお、第１特図始動口１２６に球が入賞したことを球検出センサ３２０が検出した場合には、センサ回路３２０は球を検出したことを示す信号をカウンタ回路３１８に出力する。この信号を受信したカウンタ回路３１８は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１８は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００５０】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【００５１】
また、主制御部３００には、電源管理部６６０から主制御部３００に供給している電源の電圧値を監視する電圧監視回路３３８を設けており、この電圧監視回路３３８は、電源の電圧値が所定の値（本実施例では９ｖ）未満である場合に電圧が低下したことを示す低電圧信号を基本回路３０２に出力する。
【００５２】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する。
【００５３】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【００５４】
＜副制御部＞
次に、パチンコ機１００の第１副制御部４００について説明する。
【００５５】
第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種演出データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。なお、ＲＯＭ４０６は、制御プログラムと各種演出データとを別々のＲＯＭに記憶させてもよい。
【００５６】
また、基本回路４０２には、スピーカ１２０（およびアンプ）の制御を行うための音源ＩＣ４１６と、各種ランプ４１８の制御を行うための駆動回路４２０と、演出可動体２２４の駆動制御を行うための駆動回路４２２と、演出可動体２２４の現在位置を検出する演出可動体センサ４２４と、チャンスボタン１３６の押下を検出するチャンスボタン検出センサ４２６と、演出可動体センサ４２４やチャンスボタン検出センサ４２６からの検出信号を基本回路４０２に出力するセンサ回路４２８と、装飾図柄表示装置（液晶表示装置）２０８および遮蔽装置２４６の制御を行うための第２副制御部５００と、を接続している。
【００５７】
＜払出制御部、発射制御部、電源管理部＞
次に、パチンコ機１００の払出制御部６００、発射制御部６３０、電源管理部６６０について説明する。
【００５８】
払出制御部６００は、主に主制御部３００が送信したコマンド等の信号に基づいて払出装置１５２の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【００５９】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００６０】
電源管理部６６０は、パチンコ機１００に外部から供給される交流電源を直流化し、所定の電圧に変換して主制御部３００、第１副制御部４００等の各制御部や払出装置１５２等の各装置に供給する。さらに、電源管理部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源管理部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【００６１】
＜主基板ケース＞
次に、図５を用いて、上述の主基板ケース１５８について詳細に説明する。なお、同図は、主基板１５６と主基板ケース１５８を分解して示す分解斜視図である。
【００６２】
主基板ケース１５８は、底面が略矩形の角皿状である基板収納体７０２および蓋体７０４を組み合わせて構成される箱体となっている。この主基板ケース１５８の内部の空間には、遊技に関するプログラムや各種データ等を記憶したＲＯＭ７０６や、ＣＰＵ、ＲＡＭ等のその他の電子部品（図示省略）が実装された主基板１５６が収納される。本実施形態では、基板収納体７０２と蓋体７０４は、それぞれ透光性の樹脂から構成されており、主基板ケース１５８外部から主基板ケース１５８内部に収納された主基板１５６を視認することが可能となっている。
【００６３】
基板収納体７０２および蓋体７０４の上部中央には、ケース用かしめピン（図示省略。他の実施形態において説明）を挿入して両者を分離できないように封印（かしめ）するためのケース用かしめ部７０２ａ、７０４ａが、それぞれ４箇所に設けられている。これらのケース用かしめ部７０２ａ、７０４ａは、基板収納体７０２および蓋体７０４を組み合わせた場合に、基板収納体７０２のケース用かしめ部７０２ａの挿入孔と、蓋体７０４のケース用かしめ部７０４ａの挿入孔が同軸的に配置され、両方の各々の挿入孔が連通するように構成されている。そして、この連通した各々の挿入孔に挿入されたケース用かしめピンが、ケース用かしめ部７０２ａ、７０４ａのそれぞれに取り外し不可能に係止するようになっている。すなわち、ケース用かしめピンを挿入することにより、ケース用かしめ部７０２ａ、７０４ａが互いに分離不可能に結合され、主基板ケース１５８が封印される。
【００６４】
＜主基板ケースのＩＣタグシール設置部＞
次に、図６を併せて参照して、主基板ケース１５８に形成されたＩＣタグシール設置部７１０について詳細に説明する。なお、同図は、ＩＣタグシール設置部７１０の周辺を拡大して示す部分拡大図である。
【００６５】
ＩＣタグシール設置部７１０は、基板収容体７０２の長手方向に突出形成された板状の収容体側設置部７１２と、蓋体７０４の長手方向に突出形成された板状の蓋体側設置部７１４によって構成される。そして、これらの収容体側設置部７１２と蓋体側設置部７１４は、図６に示すように、基板収容体７０２と蓋体７０４が組み合わされたときに各々が重なりあうことで１つのＩＣタグシール設置７１０が構成される。詳細は後述するが、このＩＣタグシール設置部７１０には、筒状のＩＣタグシールカバー７２０（図５参照）が取り付け可能である。
【００６６】
また、収容体側設置部７１２と蓋体側設置部７１４には、それぞれ、長手方向の全域に亘って切欠き部７１２ａ、７１４ａが形成されており、図６に示すように、基板収容体７０２と蓋体７０４が組み合わされたときに、各々の切欠き部７１２ａ、７１４ａが対向する位置に配置されることによって、ＩＣタグシール設置部７１０の長手方向に縦長の空間部が形成される。以下、この縦長の空間部を「未設置領域」という場合がある。
【００６７】
また、ＩＣタグシール設置部７１０は、収容体側第１面７１２ｂと、この収容面側第１面を基端として直交方向に延びる収容体側第２面７１２ｃと、蓋体側第１面７１４ｂと、この蓋体側第１面７１４ｂを基端として直交方向に延びる蓋体側第２面７１４ｃの４つの面を有しており、収容体側第２面７１２ｃと蓋体側第２面７１４ｃの２つの面は、上述の空間部（未設置領域）を挟んで、ほぼ面一とされている。以降、これら４つの面７１２ｂ、７１２ｃ、７１４ｂ、７１４ｃを総称して「設置領域」という場合がある。
【００６８】
ＩＣタグシール７１６は、ＩＣタグシール設置部７１０の設置領域と未設置領域に跨って設置されるが、ＩＣタグシール７１６の全領域のうち設置領域に貼り付けられることによってＩＣタグシール設置部７１０に支持される領域を「第一の領域」、未設置領域に位置して（設置領域に接触せずに）ＩＣタグシール設置部７１０に支持されない領域を「第二の領域」という場合がある。また、収容体側設置部７１２と蓋体側設置部７１４の上部には、ＩＣタグシール７１６を貼り付ける際にＩＣタグシール７１６の位置合わせの目安となる段差が設けられているため、ＩＣタグシール７１６を上述の設置領域に正確に貼り付けることができる。また、設置領域が一段低い位置に形成されているため、ＩＣタグシール設置部７１０にＩＣタグシールカバー７２０を取り付ける際にＩＣタグシール７１６に傷をつけるおそれが少なく、また、ＩＣタグシール設置部７１０にＩＣタグシールカバー７２０を取り付けた後もＩＣタグシールカバー７２０が受けた衝撃によって傷がつくおそれも少ない。さらに、本実施形態では、基板収容体７０２と蓋体７０４の両方に跨るようにして設置領域を設けているため、ＩＣタグシール７１６の状態によって主基板ケース１５８が開放されたか否か（基板収容体７０２と蓋体７０４が分離されたか否か）を容易に判別することでき、不正行為の痕跡を確実に残すことができる。
【００６９】
また、収容体側設置部７１２と蓋体側設置部７１４には、後述するＩＣタグシールカバー７２０の内歯７２０ａと係合してＩＣタグシールカバー７２０の一方向（本実施形態では、ＩＣタグシールカバー７２０の取り付け方向と逆の方向）への移動を規制する第１移動規制部７１４ｄ、７１２ｄ（図６には７１４ｄのみ図示）と、ＩＣタグシールカバー７２０の外歯７２０ｄと係合してＩＣタグシールカバー７２０の一方向（本実施形態では、ＩＣタグシールカバー７２０の取り付け方向と逆の方向）への移動を規制する第２移動規制部７１４ｅ、７１２ｅ（図６には７１４ｅのみ図示）が形成されている。
【００７０】
また、収容体側設置部７１２と蓋体側設置部７１４には、後述するＩＣタグシールカバー７２０の案内ガイド７２０ｅと係合してＩＣタグシールカバー７２０を所定の取り付け位置に導くための案内溝７１４ｆ、７１２ｆが長手方向に形成されている。
【００７１】
＜ＩＣタグシール＞
次に、図７および図８を用いて、ＩＣタグシール設置部７１０の設置領域に貼り付けられるＩＣタグシール７１６（７１７、７１８）の一例について詳細に説明する。なお、図７（ａ）は、第１の例に係るＩＣタグシール７１７の表面を示した図であり、（ｂ）は同ＩＣタグシール７１７の裏面を示した図であり、（ｃ）は（ｂ）におけるＡ−Ａ線に沿う側断面図である。また、図８（ａ）は、第２の例に係るＩＣタグシール７１８の表面を示した図であり、（ｂ）は同ＩＣタグシール７１８の裏面を示した図であり、（ｃ）は（ｂ）におけるＢ−Ｂ線に沿う側断面図である。
【００７２】
第１の例に係るＩＣタグシール７１７の表面には、図７（ａ）に示すように、管理番号を表すバーコード７１７ａ、管理番号を表すＱＲコード（登録商標）７１７ｂ、管理番号を表す文字情報７１７ｃのほか、模様、線、文字などが施されている。また、本実施形態では、「開封禁止」という文字を、後述するＩＣタグシールカッター７２０ｄによって２つに分離することが可能な位置（この例では、ＩＣタグシールカッター７２０ｄが通過する位置である縦方向中央近傍）に施している。
【００７３】
一方、第１の例に係るＩＣタグシール７１７の裏面には、同図（ｂ）、（ｃ）に示すように、上述のＩＣタグシール設置部７１０の設置領域にＩＣタグシール７１７を貼り付けるための粘着剤が塗布された貼付面７１７ｇが形成され、この貼付面７１７ｇの上に、ＩＣタグ７１７ｄ、アンテナ７１７ｅ、アンテナ保護フィルム７１７ｆなどが固定されている。
【００７４】
ここで、ＩＣタグ７１７ｄは、各種情報を記憶するメモリを備えると共に、アンテナ７１７ｅを介して外部のＩＣタグリーダ／ライタから受信したコマンドに基づいて、メモリに記憶した情報の送信や、受信した情報のメモリへの書き込み等を制御する制御部等を備えている。また、ＩＣタグ７１７ｄは、外部のＩＣタグリーダ／ライタから送信される無線信号（電磁波）から動作用の電力を得るように構成されている。また、ＩＣタグ７１７ｄのメモリには、ＩＣタグ７１７ｄの製造時に書き込まれるＩＣタグ７１７ｄ固有のＩＤ（ＵＩＤ）、およびＩＣタグシール７１７の製造時またはパチンコ機１００の出荷検査時に書き込まれる識別番号等の遊技台固有の情報が記憶されている。従って、遊技店では、ＩＣタグリーダ／ライタをＩＣタグシール７１７の近傍にかざすだけで、これらの情報を容易に読み取ることができる。
【００７５】
また、本実施形態では、ＩＣタグ７１７ｄを、後述するＩＣタグシールカッター７２０ｄによって損傷させることが可能な位置（この例では、ＩＣタグシールカッター７２０ｄが通過する位置である縦方向中央近傍）に固定するとともに、アンテナ７１７ｅを、後述するＩＣタグシールカッター７２０ｄによって２つに分離して動作不能にすることが可能な位置（この例では、縦方向中央を跨ぐような位置）に固定している。
【００７６】
さらに、第１の例に係るＩＣタグシール７１７では、外周形状を山と谷が交互に形成されたギザギザ形状にするとともに、後述するＩＣタグシールカッター７２０ｄが通過する位置（この例では、ＩＣタグシール７１７の縦方向中央）に、ギザギザ形状の谷が位置するように構成することによって、ＩＣタグシールカッター７２０ｄによってＩＣタグシール７１７の切断を容易にしている。
【００７７】
また、第２の例に係るＩＣタグシール７１８の表面には、図８（ａ）に示すように、管理番号を表すバーコード７１８ａ、管理番号を表すＱＲコード７１８ｂ、管理番号を表す文字情報７１８ｃのほか、模様、線、文字などが施されている。また、本実施形態では、バーコード７１８ａやＱＲコード７１８ｂを、後述するＩＣタグシールカッター７２０ｄによって２つに分離することが可能な位置（この例では、ＩＣタグシールカッター７２０ｄが通過する位置である縦方向中央近傍）に配置している。
【００７８】
一方、第２の例に係るＩＣタグシール７１８の裏面には、同図（ｂ）、（ｃ）に示すように、上述のＩＣタグシール設置部７１０の設置領域にＩＣタグシール７１８を貼り付けるための粘着剤が塗布された貼付面７１８ｇが形成され、この貼付面７１８ｇの上に、ＩＣタグ７１８ｄ、アンテナ７１８ｅなどが固定されている。また、本実施形態では、アンテナ７１８ｅを、後述するＩＣタグシールカッター７２０ｄによって２つに分離して動作不能にすることが可能な位置（この例では、縦方向中央を跨ぐような位置）にしている。なお、第２の例に係るＩＣタグシール７１８では、ＩＣタグ７１８ｄやアンテナ７１８ｅにも粘着剤が塗布されており、ＩＣタグ７１８ｄやアンテナ７１８ｅも貼付面７１８ｇと同様の粘着機能を有している。このように、ＩＣタグ７１８ｄやアンテナ７１８ｅも設置領域に貼り付け可能に構成すれば、ＩＣタグシールを剥がす手間がさらに増大するため、不正行為の抑止効果を高めることができる。
【００７９】
＜ＩＣタグシールカバー＞
次に、図９を用いて、上述のＩＣタグシールカバー７２０について詳細に説明する。なお、同図は、ＩＣタグシールカバー７２０を開口部側から見た外観斜視図である。
【００８０】
同図に示すように、本実施形態に係るＩＣタグシールカバー７２０は、筒状の直方体形状とされ、透明または半透明の材料によって形成されている。また、このＩＣタグシールカバー７２０の長手方向の４面のうちの１面は開口部とされ、この開口部の長手方向両側には、開口部内側に向けて、ノコギリ歯状の複数の内歯７２０ａが突出形成されている。また、開口部に隣接する２面には、内歯７２０ａの突出方向と反対側に向けて、内歯よりも広い間隔（ピッチ）で複数の外歯７２０ｂが突出形成されているとともに、ＩＣタグシールカバー７２０の内側に向けて、ＩＣタグシールカバー７２０の取り付けを容易にするための板状の案内ガイド７２０ｅが突出形成されている。
【００８１】
また、開口部の上部には、開口部の短手方向をつなぐように、平面視がほぼＴ字形状のストッパ７２０ｃが形成されている。また、開口部に対向する面の内側上部には、ＩＣタグシールカバー７２０の内側に向けて、ほぼＬ字形状のＩＣタグシールカッター７２０ｄが突出形成されている。このように、本実施形態のＩＣタグシールカバー７２０は、ＩＣタグシール７１６を外側から覆って外部からの衝撃や不正なアクセスから保護する機能に加え、ＩＣタグシール７１６が不正に取り外された場合にＩＣタグシール７１６を破損することが可能な機能（ＩＣタグシールカッター７２０ｄ）も備えている。
【００８２】
＜ＩＣタグシールカバーの取り付け＞
次に、図１０〜図１２を用いて、ＩＣタグシールカバー７２０の取り付けについて説明する。なお、図１０（ａ）は、ＩＣタグシールカバー７２０を主基板ケース１５８のＩＣタグシール設置部７１０に取り付ける前の状態を、主基板ケース１５８の蓋体７０４側から見た外観斜視図であり、同図（ｂ）は、（ａ）におけるＩＣタグシール設置部７１０周辺を拡大して示す部分拡大図である。また、図１１（ａ）は、ＩＣタグシールカバー７２０を主基板ケース１５８のＩＣタグシール設置部７１０に取り付ける前の状態を、主基板ケース１５８の基板収納体７０２側から見た外観斜視図であり、同図（ｂ）は、（ａ）におけるＩＣタグシール設置部７１０周辺を拡大して示す部分拡大図である。さらに、図１２は、ＩＣタグシールカバー７２０を主基板ケース１５８のＩＣタグシール設置部７１０に取り付けた後の状態を、主基板ケース１５８の蓋体７０４側から見た外観斜視図である。
【００８３】
ＩＣタグシールカバー７２０は、ＩＣタグシール設置部７１０の長手方向一方の側から他方の側に向かってＩＣタグシール設置部７１０を覆うようにして取り付けられるが、この際、ＩＣタグシールカバー７２０の２つの案内ガイド７２０ｅがＩＣタグシール設置部７１０の案内溝７１４ｆ、７１２ｆにそれぞれ係合されるように、ＩＣタグシールカバー７２０とＩＣタグシール設置部７１０の位置決めを行う。そして、ＩＣタグシールカバー７２０の２つの案内ガイド７２０ｅがＩＣタグシール設置部７１０の案内溝７１４ｆ、７１２ｆによって所定方向に案内されながら、ＩＣタグカバー７２０がＩＣタグシール設置部７１０の長手方向に沿ってスライドされる。このようにしてＩＣタグシールカバー７２０を取り付け方向にスライドさせると、ＩＣタグシールカバー７２０の内歯７２０ａがＩＣタグシール設置部７１０の第１移動規制部７１２ｄ、７１４ｄを乗り越えながら進むともに、ＩＣタグシールカバー７２０の外歯７２０ｂもＩＣタグシール設置部７１０の第２移動規制部７１２ｅ、７１４ｅを乗り越えながら進むことになる。さらにＩＣタグシールカバー７２０を取り付け方向にスライドさせると、ＩＣタグシールカバー７２０の上部に形成されたストッパ７２０ｃがＩＣタグシール設置部７１０の上端に当接してＩＣタグシールカバー７２０のスライドが規制され、ＩＣタグシールカバー７２０のＩＣタグシール設置部７１０への取り付けが完了する。
【００８４】
なお、上述の通り、ＩＣタグシールカバー７２０は透明または半透明の材料からなるため、ＩＣタグシールカバー７２０をＩＣタグシール設置部７１０に取り付けた後でも、ＩＣタグシールカバー７２０を通してＩＣタグシール７１６を外部から視認することが可能である。
【００８５】
図１３（ａ）は、ＩＣタグシールカバー７２０を取り付けた状態の主基板ケース１５８の正面図であり、同図（ｂ）は、（ａ）のＡ−Ａ線に沿う側断面図であり、同図（ｃ）は、（ａ）のＢ−Ｂ線に沿う側断面図である。また、図１４（ａ）は、ＩＣタグシールカバー７２０を取り付けた状態の主基板ケース１５８の側面図であり、同図（ｂ）は、（ａ）のＣ−Ｃ線に沿う側断面図である。
【００８６】
ＩＣタグシールカバー７２０のＩＣタグシール設置部７１０への取り付けが完了すると、図１３（ｂ）に示すように、ＩＣタグシールカバー７２０の外歯７２０ｄがＩＣタグシール設置部７１０の第２移動規制部７１２ｅ、７１４ｅに係合されるとともに、同図（ｃ）に示すように、ＩＣタグシールカバー７２０の内歯７２０ａもＩＣタグシール設置部７１０の第１移動規制部７１２ｄ、７１４ｄに係合される。このようにして、ＩＣタグシールカバー７２０は、ＩＣタグシール設置部７１０の第１移動規制部７１２ｄ、７１４ｄや第２移動規制部７１２ｅ、７１４ｅによって取り付け方法と逆の方向の移動が規制される。このように、移動を規制する手段を複数個所に設けることにより、ＩＣタグシールカバー７２０を取り外すことを困難にすることができ、不正行為を未然に防止することができる。
【００８７】
また、図１４（ｂ）に示すように、ＩＣタグシールカバー７２０のＩＣタグシール設置部７１０への取り付けが完了すると、ＩＣタグシールカッター７２０ｄの先端部が未設置領域に位置し、ＩＣタグシール７１６の上端がＩＣタグシールカッター７２０ｄの内側空間内に配置される。このため、ＩＣタグシールカバー７２０を水平方向に強引に取り外そうとした場合には、ＩＣタグシールカッター７２０ｄによりＩＣタグシール７１６の上部が破損することになり、ＩＣタグシールカバー７２０の取り外しの痕跡を残すことが可能な構造となっている。
【００８８】
＜ＩＣタグシールカバーの取り外し＞
次に、図１５を用いて、ＩＣタグシールカバー７２０の取り外しについて説明する。なお、図１５（ａ）は、ＩＣタグシールカバー７２０を主基板ケース１５８のＩＣタグシール設置部７１０から取り外している状態を、主基板ケース１５８の蓋体７０４側から見た外観斜視図であり、同図（ｂ）は、（ａ）におけるＩＣタグシール設置部７１０周辺を拡大して示す部分拡大図である。
【００８９】
ＩＣタグシールカバー７２０をＩＣタグシール設置部７１０から取り外す場合には、ＩＣタグシールカバー７２０のストッパ７２０ｃをＩＣタグシールカバー７２０の本体から切断し、ＩＣタグシールカバー７２０を、取り外し方向にスライドさせる。ＩＣタグシールカバー７２０を取り外し方向にスライドさせると、ＩＣタグシールカッター７２０ｄが未設置領域を上から下へ移動することになるが、このＩＣタグシールカッター７２０ｄの移動に伴って、未設置領域に配設されたＩＣタグシール７１６が長手方向に切断される。
【００９０】
図１６は上述の第１の例に係るＩＣタグシール７１７の切断状態の一例を示した図であり、図１７は上述の第２の例に係るＩＣタグシール７１８の切断状態の一例を示した図である。
【００９１】
例えば、図１６に示すＩＣタグシール７１７の例では、不正行為などによってＩＣタグシールカバー７２０が取り外された場合に、ＩＣタグシールカッター７２０ｄによって、表面に施された「開封禁止」という文字が２つに分離されるとともに、表面に施された縦じまや模様も２か所に分断される。このため、ＩＣタグシール７１７の外観を確認することによって、不正行為の有無を視覚によって容易かつ迅速に判別することができる。しかも、本実施形態では、ＩＣタグシールカッター７２０ｄによって、裏面に固定されたＩＣタグ７１７ｄやアンテナ７１７ｅが損傷を受けてＩＣタグ７１７ｄから情報が読み出せなくなるため、ＩＣタグ７１７ｄから不正に情報を読み取るような不正行為を未然に防止することができる。
【００９２】
また、図１７に示すＩＣタグシール７１８の例では、不正行為などによってＩＣタグシールカバー７２０が取り外された場合でも、ＩＣタグシールカッター７２０ｄによって、表面に配置されたバーコード７１８ａ、ＱＲコード７１８ｂなどが２つに分離されるように構成している。このため、ＩＣタグシール７１８の外観を確認することによって不正行為の有無を視覚によって容易かつ迅速に判別することができるとともに、バーコード７１８ａ、ＱＲコード７１８ｂなどから不正に情報を読み取るような不正行為を未然に防止することができる。しかも、本実施形態では、ＩＣタグシールカッター７２０ｄによって、裏面に固定されたアンテナ７１８ｅが損傷を受けてＩＣタグ７１８ｄから情報が読み出せなくなるため、ＩＣタグ７１８ｄから不正に情報を読み取るような不正行為を未然に防止することができる。
【００９３】
＜変形例１＞
次に、図１８を用いて、変形例１に係るＩＣタグシールカバー７３０とＩＣタグシール設置部７３２について詳細に説明する。なお、図１８（ａ）は、変形例１に係るＩＣタグシールカバー７３０をＩＣタグシール設置部７３２に取り付ける前の状態を、主基板ケースの蓋体側から見た外観斜視図であり、同図（ｂ）は、（ａ）におけるＩＣタグシール設置部７３２周辺を拡大して示す部分拡大図である。
【００９４】
変形例１に係るＩＣタグシールカバー７３０は、上記実施形態に係るＩＣタグシールカバー７２０からストッパ７２０ｃを取り除いたものである。また、変形例１に係るＩＣタグシール設置部７３２は、上記実施形態に係るＩＣタグシール設置部７１０から第２移動規制部７１２ｅ、７１４ｅを取り除くとともに、上記第１移動規制部７１２ｄ、７１４ｄに替えて第１移動規制部７３０ｄを備えたものである。この第１移動規制部７３０ｄは、ＩＣタグシールカバー７３０の内歯７３０ａとほぼ同数の外歯を備えており、ＩＣタグシール設置部７３２にＩＣタグシールカバー７３０が取り付けられる際に、ＩＣタグシールカバー７３０が取り付け方向とは逆の方向に移動するのを規制する部材である。なお、図示はしないが、変形例１に係るＩＣタグシールカバー７３０の基板収納体７０２側にも、第１移動規制部７３０ｄが形成されている。
【００９５】
この変形例１のように、ストッパ７２０ｃや第２移動規制部７１２ｅ、７１４ｅに替えて、第１移動規制部７３０ｄを備えれば、ＩＣタグシールカバー７３０やＩＣタグシール設置部７３２の形状を簡素化することができ、低コスト化を図ることができる場合がある。また、第１移動規制部７３０ｄのように複数の外歯を備えれば、ＩＣタグシールカバー７３０の不正な取り外しを、より強固に防止できる場合がある。
【００９６】
＜変形例２＞
次に、図１９、図２０を用いて、変形例２に係るＩＣタグシールカバー７４０とＩＣタグシール設置部７４２について詳細に説明する。なお、図１９（ａ）は、変形例２に係るＩＣタグシールカバー７４０をＩＣタグシール設置部７４２に取り付ける前の状態を、主基板ケースの蓋体側から見た外観斜視図であり、同図（ｂ）は、ＩＣタグシールカバー７４０を開口部側から見た外観斜視図である。また、図２０（ａ）は、変形例２に係るＩＣタグシール設置部７４２からＩＣタグシールカバー７４０を取り外す様子を、主基板ケースの側面側から見た外観斜視図であり、同図（ｂ）は、（ａ）におけるＩＣタグシール設置部７４２周辺を拡大して示す部分拡大図である。
【００９７】
変形例２に係るＩＣタグシールカバー７４０は、上記実施形態に係るＩＣタグシールカバー７２０のＩＣタグシールカッター７２０ｄに替えて、平面視がＶ字形状（先端に向かって外径が徐々に細くなる形状）のＩＣタグシールカッター７４０ｄを備えている。また、変形例２に係るＩＣタグシール設置部７４２は、上記実施形態に係るＩＣタグシール設置部７１０の未設置領域に替えて、平面視がＶ字形状（ＩＣタグシールカッター７４０ｄと相補的形状で、奥側に向かって内面の幅が徐々に狭くなる形状）の未設置領域７４２ａを備えている。
【００９８】
この変形例２のように、ＩＣタグシールカッター７４０ｄの外形形状とＩＣタグシール設置部７４２の未設置領域の内面形状が相補的形状であれば、ＩＣタグシールカバー７４０の取り外しの際にＩＣタグシールカッター７４０ｄをＩＣタグシール設置部７４２に沿って円滑にスライドさせることができ、ＩＣタグシールを確実に切断することができる上に、切断後のＩＣタグシールの切れ端をＩＣタグシールカッター７４０ｄによってＩＣタグシール設置部７４２の内面に押し付けながらＩＣタグシールカッター７４０ｄをスライドさせることが可能となるため、ＩＣタグシールカッター７４０ｄを、より一層円滑にスライドさせることができる場合がある。また、ＩＣタグシールカッター７４０ｄの形状を、先端に向かって外径が徐々に細くなる形状とすれば、ＩＣタグシールを、より確実に切断することができる上に、ＩＣタグシールから受ける反力を低減することができるため、ＩＣタグシールカッター７４０ｄを、より一層円滑にスライドさせることができる場合がある。また、ＩＣタグシールカッター７４０ｄがＩＣタグシールの貼付面７１７ｇで汚れることがないため、破損手段を再利用することができる場合がある。
【００９９】
＜変形例３＞
次に、図２１〜図２３を用いて、変形例３に係るＩＣタグシールカバー７５０とＩＣタグシール設置部７５２について詳細に説明する。なお、図２１（ａ）は、変形例３に係るＩＣタグシールカバー７５０をＩＣタグシール設置部７５２に取り付ける前の状態を、主基板ケースの蓋体側から見た外観斜視図であり、同図（ｂ）は、（ａ）におけるＩＣタグシール設置部７５０周辺を拡大して示す部分拡大図である。また、図２２（ａ）は、変形例３に係るＩＣタグシール設置部７５２からＩＣタグシールカバー７５０を取り外す様子を、主基板ケースの側面側から見た外観斜視図であり、同図（ｂ）は、（ａ）におけるＩＣタグシール設置部７５２周辺を拡大して示す部分拡大図である。また、図２３は、変形例３に係るＩＣタグシールカバー７５０の外観斜視図である。
【０１００】
変形例３に係るＩＣタグシールカバー７５０は、上記変形例２に係るＩＣタグシールカバー７４０からストッパ７４０ｃを取り除いたものである。また、変形例３に係るＩＣタグシール設置部７５２は、上記実施形態に係るＩＣタグシール設置部７１０の設置領域である収容体側第１面７１２ｂと蓋体側第１面７１４ｂに替えて、収容体側第１面７５２ａと蓋体側第１面７５２ｂ（図２１には蓋体側第１面７５２ｂのみ図示）を備えるとともに、収容体側第１面７５２ａと蓋体側第１面７５２ｂに、ＩＣタグシール７１６の四隅を支持する支持部材７５４を形成している。
【０１０１】
この変形例３のように、ＩＣタグシール設置部７５２がＩＣタグシール７１６を支持する支持部材７５４を備えれば、ＩＣタグシールが貼付面を備えていなくても（粘着剤などを有していなくても）ＩＣタグシールをＩＣタグシール設置部に取り付けることができるため、ＩＣタグシールのコストを下げることが可能となる上に、ＩＣタグシールの取り付けが容易となり、利便性が高まる場合がある。
【０１０２】
＜変形例４＞
次に、図２４、図２５を用いて、変形例４に係るＩＣタグシールカバー７６０とＩＣタグシール設置部７６２について詳細に説明する。なお、図２４（ａ）は、変形例４に係るＩＣタグシールカバー７６０をＩＣタグシール設置部７６２に取り付ける前の状態を、主基板ケースの蓋体側から見た外観斜視図であり、同図（ｂ）は、（ａ）におけるＩＣタグシール設置部７６０周辺を拡大して示す部分拡大図である。また、図２５（ａ）は、変形例４に係るＩＣタグシール設置部７６２からＩＣタグシールカバー７６０を取り外す様子を、主基板ケースの側面側から見た外観斜視図であり、同図（ｂ）は、（ａ）におけるＩＣタグシール設置部７６２周辺を拡大して示す部分拡大図である。
【０１０３】
変形例４に係るＩＣタグシールカバー７６０は、複数（この例では２個）のＩＣタグシールカッター７６０ｄを備えたＩＣタグシールカバーの一例であり、変形例４に係るＩＣタグシール設置部７６２は、ＩＣタグシールカッター７６０ｄと相補的形状を有する複数（この例では２か所）の未設置領域７６２ａを備えたＩＣタグシール設置部の一例である。
【０１０４】
この変形例４のように、ＩＣタグシールカッターを複数備えれば、ＩＣタグシールを複数個所で切断することができ、不正行為の有無を、より一層、容易かつ迅速に判別できる場合がある。
【０１０５】
なお、この変形例４では、ＩＣタグシール７１６を上述の設置領域である４つの面（収容体側第１面７１２ｂ、収容体側第２面７１２ｃ、蓋体側第１面７１４ｂ、蓋体側第２面７１４ｃ）に貼り付ける例を示したが、例えば、図２６、図２７に示すように、収容体側第２面７６４ａと、この収容面側第２面７６４ａを基端として収容面側第２面７６４ａの長手方向かつ直交方向に延びる収容体側第３面７６４ｂと、蓋体側第２面７６４ｃと、この蓋体側第２面７６４ｃを基端として蓋体側第２面７６４ｃの長手方向かつ直交方向に延びる蓋体側第３面７６４ｄの４つの面を設置領域とし、この設置領域にＩＣタグシール７１９を貼り付けてもよい。
【０１０６】
この例のように、ＩＣタグシール７１９を複数の方向（この例では、長手方向と短手方向の２方向）から切断可能とすれば、不正行為の有無を、より一層、容易かつ迅速に判別できる場合がある。
【０１０７】
＜変形例５＞
次に、図２８を用いて、変形例５に係るＩＣタグシールカバー７７０とＩＣタグシール設置部７７２について詳細に説明する。なお、図２８（ａ）は、変形例５に係るＩＣタグシールカバー７７０をＩＣタグシール設置部７７２に取り付ける前の状態を、主基板ケースの蓋体側から見た外観斜視図であり、同図（ｂ）は、（ａ）におけるＩＣタグシール設置部７７０周辺を拡大して示す部分拡大図である。
【０１０８】
変形例５に係るＩＣタグシールカバー７７０は、上記実施形態に係るＩＣタグシールカバー７２０の内歯７２０ａを内側片面のみに形成するとともに、外歯７２０ｄを外側片面のみに形成したＩＣタグシールカバーの一例である。また、変形例５に係るＩＣタグシール設置部７７２は、ＩＣタグシールカバー７２０の内歯７２０ａと係合する第１移動規制部７１４ｄを蓋体側のみに形成するとともに、ＩＣタグシールカバー７２０の外歯７２０ｄと係合する第２移動規制部７１２ｅを収容体側のみに形成したＩＣタグシール設置部の一例である。
【０１０９】
この変形例５のように、ＩＣ設置部７７２に形成する移動規制部の数や、ＩＣタグシールカバー７２０の内歯や外歯の数を削減すれば、上記実施形態に係るＩＣタグシールカバー７２０やＩＣタグシール設置部７１０に比べて、低コスト化を図ることができる場合がある。
【０１１０】
＜＜実施形態２＞＞
次に、実施形態２に係る主基板ケース８１０の構造について詳細に説明する。図２９は、主基板１５６、主基板ケース８１０、取付ベース８３０、およびカバー部材８５０を分解して示す分解斜視図である。
【０１１１】
主基板ケース８１０は、底面が略矩形の角皿状である基板収納体８１２および蓋体８１３を組み合わせて構成される箱体となっている。この主基板ケース８１０の内部の空間には、遊技に関するプログラムや各種データ等を記憶したＲＯＭや、ＣＰＵ、ＲＡＭ等のその他の電子部品が実装された主基板１５６が収納される。本実施形態では、主基板ケース８１０は透光性の樹脂から構成されており、主基板ケース８１０外部から主基板ケース８１０内部に収納された主基板１５６を視認することが可能となっている
基板収納体８１２の下側縁には門型のヒンジ部８１２ａが２箇所に設けられている。そして、蓋体８１３の下側縁にはヒンジ部８１２ａと係合するフック状のフック部８１３ａが２箇所に設けられ、上側縁の左右両端部には基板収納体８１２の上側縁と係止する凸部を備える係止舌片８１３ｂがそれぞれ設けられている。従って、主基板収納ケース８１０を組み立てる場合には、まず、蓋体８１３のフック部８１３ａを基板収納体８１２のヒンジ部８１２ａに係合させ、次に、ヒンジ部８１２ａを中心に蓋体８１３を揺動させて基板収納体８１２と蓋体８１３を合わせると共に蓋体８１３の係止舌片８１３ｂを基板収納体８１２の上側縁に係止させる。
【０１１２】
また、基板収納体８１２および蓋体８１３の上部には、ケース用かしめピン８１４ａを挿入して両者を分離できないように封印（かしめ）するためのケース用かしめ部８１２ｃ、８１３ｃが、それぞれ４箇所に設けられている。これらのケース用かしめ部８１２ｃ、８１３ｃは、基板収納体８１２および蓋体８１３を組み合わせた場合に、基板収納体８１２のケース用かしめ部８１２ｃが蓋体８１３のケース用かしめ部８１３ｃ内に収容され、ケース用かしめピン８１４ａが挿入される挿入孔がそれぞれ連通するように構成されている。そして、この連通した挿入孔に挿入されたケース用かしめピン８１４ａが、ケース用かしめ部８１２ｃ、８１３ｃのそれぞれに取り外し不可能に係止するようになっている。すなわち、ケース用かしめピン８１４ａを挿入することにより、ケース用かしめ部８１２ｃ、８１３ｃが互いに分離不可能に結合され、主基板ケース８１０が封印される。
【０１１３】
なお、一旦封印した主基板ケース８１０を開封する場合には、蓋体８１３のケース用かしめ部８１３ｃを蓋体８１３から切断する。これにより、基板収納体８１２および蓋体８１３を分離した後も、蓋体８１３のケース用かしめ部８１３ｃが基板収納体８１２のケース用かしめ部８１２ｃと結合したまま基板収納体８１２に残ることととなり、主基板ケース８１０を開封した痕跡が残るようになっている。
【０１１４】
また、基板収納体８１２および蓋体８１３の上部の左右両端には、固定用かしめピン８１４ｂを挿入することによって主基板ケース８１０の取付ベース８３０への固定を封印するための固定用かしめ８１２ｄ、８１３ｄが２箇所に設けられている。これらの固定用かしめ部８１２ｄ、８１３ｄは、基板収納体８１２および蓋体８１３を組み合わせた場合に、基板収納体８１２の固定用かしめ部８１２ｄ内に蓋体８１３の固定用かしめ部８１３ｄの一部が収容され、固定用かしめピン８１４ｂが挿入される挿入孔がそれぞれ連通するように構成されている。そして、蓋体８１３側から固定用かしめピン８１４ｂをこの連通した挿入孔に挿入すると共に、基板収納体８１２の背後に突出した固定用かしめピン８１４ｂの先端部を取付ベース８３０に設けられた嵌入孔８３１内に嵌入することにより、主基板ケース８１０の取付ベース８３０への固定が封印されるようになっている。固定用かしめピン８１４ｂは、先端部が基板収納体８１２の背後に突出して嵌入孔８３１に嵌入した状態では、蓋体８１３の固定用かしめ部８１３ｄと係止して取り外せないようになっている。
【０１１５】
主基板ケース８１０の上部中央は、ＩＣタグシール８１５を貼付ける部分となっている。基板収納体８１２の上部中央には、蓋体８１３に向けて突出する矩形状の凸部８１２ｅが設けられており、基板収納体８１２と蓋体８１３を組み合わせた場合に、蓋体８１３の上部中央に設けられた凹部８１３ｅ内に収容されるようになっている。そして、ＩＣタグシール封印シール８１５は、基板収納体８１２の凸部８１２ｅの表面とその下方の蓋体８１３の表面に跨って貼付けられる（図３０参照）。従って、本実施形態では、主基板収納ケース８１０を開封するにはＩＣタグシール８１５を剥がす、または破断する必要があり、これによっても主基板ケース８１０を開封した痕跡が残るようになっている。
【０１１６】
また、本実施形態では、基板収納体８１２の凸部８１２ｅ表面の右端から中央部にかけて左右方向に連続する逃げ溝８１２ｆが形成されており、ＩＣタグシール８１５は、この逃げ溝８１２ｆの右端部以外の部分を塞ぐようにして貼付けられる。
【０１１７】
カバー部材８５０は、取付ベース８３０に固定された主基板ケース８１０の上部に配置されたケース用かしめ部８１２ｃ、８１３ｃ、固定用かしめ部８１２ｄ、８１３ｄ、およびＩＣタグシール８１５を前方（表側）から覆う（遮蔽する）と共に、主基板ケース８１０の左端部に位置するコネクタ８１１ｃを前方から覆う（遮蔽する）ための部材である。カバー部材８５０の水平部８５０ａ裏面の中央部やや右よりには、棒状の破断部８５４が突設されている。この破断部８５４は、取付ベース８３０をカバー部材８５０で閉塞状態にした場合に、基板収納体８１２の逃げ溝８１２ｆ内に挿入される位置に設けられている。
【０１１８】
＜カバー部材の封印、および封印の解除＞
次に、カバー部材８５０の封印、および封印の解除について説明する。図３０は、取付ベース８３０への主基板ケース８１０の取り付け、およびカバー部材８５０の封印を示した図である。
【０１１９】
カバー部材８５０はヒンジ部８５１およびフック部８３３を介して予め取付ベース８３０に取り付けられている。そして、同図に示されるように、カバー部材８５０を上方に開いた状態（開放状態）で、主基板ケース８１０を取付ベース８３０に取り付ける。主基板ケース８１０は、ケース用かしめ部８１２ｃ、８１３ｃおよびケース用かしめピン８１４ａによる封印がなされ、ＩＣタグシール８１５が貼付けられた状態で取付ベース８３０に固定され、固定用かしめ部８１２ｄ、８１３ｄおよび固定用かしめピン８１４ｂにより主基板ケース８１０の取付ベース８３０への固定が封印される。そして、コネクタ８１１ｃに外部からのケーブル８１１ｄ（図３１参照）を接続した後に、カバー部材８５０を下方に揺動させて閉塞状態とする。
【０１２０】
カバー部材８５０を閉塞状態にする場合は、カバー部材８５０を右側に寄せた状態（第１位置にある状態）で行う。この第１の位置においては、カバー部材８５０の破断部８５４は、主基板ケース８１０の逃げ溝８１２ｆの、ＩＣタグシール８１５に塞がれていない部分（右端部）内に挿入されるようになっている。
【０１２１】
図３１（ａ）は、カバー部材８５０が閉塞状態で封印された状態を示した図である。同図に示されるように、カバー部材８５０を閉塞状態で封印した状態では、カバー部材８５０は、主基板ケース８１０のケース用かしめ部８１２ｃ、８１３ｃおよびケース用かしめピン８１４ａ、固定用かしめ部８１２ｄ、８１３ｄおよび固定用かしめピン８１４ｂ、ＩＣタグシール８１５、ならびにコネクタ８１１ｃの開封阻止部を覆っている。このため、これらの開封阻止部への外部からのアクセスを困難にし、主基板１５６に対する不正行為をより確実に防止することが可能となっている。
【０１２２】
図３１（ｂ）は、カバー部材８５０の封印の解除方法を示した図である。カバー部材８５０を開放する場合には、カバー部材８５０を第１の位置から左方向にスライドさせて、第２の位置に移動させる。カバー部材８５０の封印を解除する場合には、同図に示されるように、カバー部材８５０の左方向へのスライドを規制しているカバー用かしめピン８６０を連結部８６３において切断する。これにより、カバー部材８５０を左方向にスライドさせることが可能となり、カバー部材８５０を第２の位置に移動させて開くことが可能となる。カバー部材８５０を開放状態とした後も、カバー用かしめピン８６０の第１係止部８６１はカバー部材８５０に係止した状態で残存し、第２係止部８６２は取付ベース８３０に係止した状態で残存する。従って、カバー部材８５０の封印が解除されたことを容易に識別可能となっている。また、カバー部材８５０の封印を解除してカバー部材８５０を左方向にスライドさせた場合に、ＩＣタグシール８１５の一部を破壊し、ＩＣタグシール８１５の機能を不能化させるようになっている。
【０１２３】
図３２（ａ）および（ｂ）は、図３１（ａ）および（ｂ）のＡ部拡大図である。まず、同図（ａ）に示されるように、第１の位置においてカバー部材８５０が封印された状態では、カバー部材８５０の破断部８５４は、逃げ溝８１２ｆの右端部内に挿入され、ＩＣタグシール８１５の右横に位置する状態となっている。この状態では、破断部８５４とＩＣタグシール８１５は干渉しておらず、ＩＣタグシール８１５は機能を発揮可能、すなわちＩＣタグシールリーダ／ライタと通信可能であり、ＩＣタグシール８１５に記憶された情報を外部から読み取り可能となっている。
【０１２４】
一方、カバー部材８５０の封印が解除され、カバー部材８５０が第２の位置に向けて左方向にスライドされると、破断部８５４は逃げ溝８１２ｆに沿ってカバー部材８５０と共に左方向に移動することとなる。従って、同図（ｂ）に示されるように、破断部８５４とＩＣタグシール８１５が干渉し、ＩＣタグシール８１５は破断部８５４によって一部を破断される。これにより、ＩＣタグシール８１５に内蔵されたアンテナが切断されるため、ＩＣタグシール８１５とＩＣタグシールリーダ／ライタの通信が不可能となる。従って、ＩＣタグシール８１５に記憶された情報を外部から読み取ることが不可能となり、ＩＣタグシール８１５の機能が不能化される。
【０１２５】
このように、本実施形態では、カバー部材８５０の封印を解除して開放する場合に、ＩＣタグシール８１５の機能が不能化されるようになっている。これにより、主基板１５６に対する不正行為を行おうとした場合に、その前段階のカバー部材８５０の開放においてＩＣタグシール８１５の機能が不能化するため、ＩＣタグシール８１５の機能を生かしたまま主基板１５６に対する不正行為が行われるのを確実に防止することができる。また、本実施形態では、カバー部材８５０を解除（開放）するための解除方向が一方向に規制されているため、ＩＣタグシール８１５の機能を不能化させるための動作を確実に行わせるようにしている。
【０１２６】
＜＜実施形態３＞＞
次に、実施形態３に係る主基板ケース９１０の構造について詳細に説明する。図３３は、主基板１５６と主基板ケース９１０を分解して示す分解斜視図である。
【０１２７】
主基板ケース９１０は、底面が略矩形の角皿状である基板収納体９１２および蓋体９１３を組み合わせて構成される箱体となっている。この主基板収納ケース９１０の内部の空間には、遊技に関するプログラムや各種データ等を記憶したＲＯＭや、ＣＰＵ、ＲＡＭ等のその他の電子部品が実装された主基板１５６が収納される。基板収納体９１２および蓋体９１３は、それぞれ透光性の樹脂から構成されており、主基板ケース９１０内部に収納された主基板１５６を外部から視認することが可能となっている。
【０１２８】
基板収納体９１２の下側縁、および蓋体９１３の下側縁には互いに係合するヒンジ部９１２ａ、９１３ａがそれぞれ２箇所に設けられている。主基板ケース９１０を組み立てる場合には、まず、基板収納体９１２のヒンジ部９１２ａと蓋体９１３のヒンジ部９１３ａを係合させ、次に、ヒンジ部９１２ａ、９１３ａを中心に蓋体９１３を揺動させて基板収納体９１２と蓋体９１３を合わせ、ケース用かしめピン９１４ａを用いて封印（かしめ）する。
【０１２９】
基板収納体９１２および蓋体９１３の上部には、ケース用かしめピン９１４ａを挿入して両者を分離できないように封印するためのケース用かしめ部９１２ｂ、９１３ｂが、それぞれ４箇所に設けられている。これらのケース用かしめ部９１２ｂ、９１３ｂは、基板収納体９１２および蓋体９１３を組み合わせた場合に、基板収納体９１２のケース用かしめ部９１２ｂが蓋体９１３のケース用かしめ部９１３ｂ内に収容され、ケース用かしめピン９１４ａが挿入される挿入孔がそれぞれ連通するように構成されている。そして、この連通した挿入孔に挿入されたケース用かしめピン９１４ａが、ケース用かしめ部９１２ｂ、９１３ｂのそれぞれに取り外し不可能に係止するようになっている。すなわち、ケース用かしめピン９１４ａを挿入することにより、ケース用かしめ部９１２ｂ、９１３ｂが互いに分離不可能に結合され、主基板ケース９１０が封印される。
【０１３０】
なお、一旦封印した主基板収納ケース９１０を開封する場合には、蓋体９１３のケース用かしめ部９１３ｂを蓋体９１３から切断する。これにより、基板収納体９１２および蓋体９１３を分離した後も、蓋体９１３のケース用かしめ部９１３ｂが基板収納体９１２のケース用かしめ部９１２ｂと結合したまま基板収納体９１２に残ることととなり、主基板ケース９１０を開封した痕跡が残るようになっている。
【０１３１】
主基板ケース９１０の上部中央は、ＩＣタグシール９１５を貼付ける部分となっている。基板収納体９１２の上部中央には、蓋体９１３に向けて突出する縦長の略矩形状の貼付凸部９１２ｄが設けられている。この貼付凸部９１２ｄ表面の上下両端部には、後述するシールカバー部材９５０の一部が係止する横長の係止孔９１２ｅが形成されている。
【０１３２】
蓋体９１３の上部中央には、横長の略矩形状の窪みである収容凹部９１３ｅが形成され、この収容凹部９１３ｅの底部にはさらに、横長の略矩形状の窪みである貼付凹部９１３ｆが形成されている。そして、収容凹部９１３ｅの左右両端部には、後述するシールカバー部材９５０の一部が係止する縦長の係止孔９１３ｇが形成されている。また、収容凹部９１３ｅの中央部には、縦長の略矩形状の収容孔９１３ｈが形成されている。この収容孔９１３ｈは、基板収納体９１２と蓋体９１３を組み合わせた場合に、基板収納体９１２の貼付凸部９１２ｄが収容されるように構成されている。
【０１３３】
ＩＣタグシール９１５は、基板収納体９１２と蓋体９１３を組み合わせた後に、基板収納体９１２の貼付凸部９１２ｄの表面と、その左右両側の蓋体９１３の貼付凹部９１３ｆに跨って貼付けられる（図３５参照）。従って、本実施形態では、主基板ケース９１０を開封するにはＩＣタグシール９１５を剥がす、または破断する必要があり、これによっても主基板ケース９１０を開封した痕跡が残るようになっている。また、ＩＣタグシール９１５は、主基板収納ケース９１０に貼付けられた後に、シールカバー部材９５０によって覆われる（遮蔽される）ため、外部からＩＣタグシール９１５に接触することが略不可能となっている。本実施形態では、このようにすることで、ＩＣタグシール９１５に対する不正行為を防止するようにしている。また、情報の読み取り時やメンテナンス時等の不用意な接触によるＩＣタグシール９１５の破損を防止するようにしている。
【０１３４】
また、シールカバー部材９５０は、蓋体９１３の収容凹部９１３ｅ内に略嵌合した状態で主基板ケース９１０に取り付けられる。このようにすることで、シールカバー部材９５０と蓋体９１３の隙間からＩＣタグシール９１５にアクセスするのを防止することができる。
【０１３５】
図３４は、シールカバー部材９５０の外観斜視図である。シールカバー部材９５０は、横長の略矩形平板状の部材であり、中央の第１遮蔽部９５１と、第１遮蔽部９５１の左右両側に設けられた２つの第２遮蔽部９５２と、第１遮蔽部９５１と第２遮蔽部９５２の間に設けられた２つの破断部９５３から構成されている。また、第１遮蔽部９５１の裏面の上下両端部にはそれぞれ第１係止部９５４が、右側の第２遮蔽部９５２の裏面の右端部および左側の第２遮蔽部９５２の裏面の左端部にはそれぞれ第２係止部９５５が突設されている。
【０１３６】
破断部９５３は、シールカバー部材９５０を第１遮蔽部９５１と、２つの第２遮蔽部９５２に分割するための部分であり、隣り合った第１遮蔽部９５１および第２遮蔽部９５２を繋ぐ複数の接続片９５３ａから構成されている。この接続片９５３ａは、中間部分の断面積が小さくなっており、容易に破断することができるようになっている。
【０１３７】
第１係止部９５４は、第１遮蔽部９５１の裏面に突設された２つの舌片部９５４ａから構成されている。これら２つの舌片部９５４ａは、互いに平行に配置された略平板状の部材であり、先端部の外側面には楔形状の係止突起９５４ｂがそれぞれ設けられている。第２係止部９５５は、第１係止部９５４と略同一に構成されており、２つの舌片部９５５ａの先端部の外側面には係止突起９５５ｂがそれぞれ設けられている。
【０１３８】
シールカバー部材９５０は、基板収納体９１２および蓋体９１３と同様に、透光性の樹脂から構成されている。従って、シールカバー部材９５０によってＩＣタグシール９１５を遮蔽した後も、外部からＩＣタグシール９１５表面の表示を視認できるようになっている。
【０１３９】
図３５（ａ）は、シールカバー部材９５０の取り付けを示した図である。同図に示されるように、シールカバー部材９５０は、基板収納体９１２と蓋体９１３が組み合わされ、ケース用かしめ部９１２ｂ、９１３ｂおよびケース用かしめピン９１４ａによる封印がなされ、ＩＣタグシール９１５が貼付けられた後に、主基板ケース９１０に取り付けられる。
【０１４０】
基板収納体９１２と蓋体９１３が組み合わされると、基板収納体９１２の貼付凸部９１２ｄの表面と蓋体９１３の貼付凹部９１３ｆの底面が略同一平面上となり、ＩＣタグシール９１５は、この両者に跨って貼付けられる。従って、ＩＣタグシール９１５は、収容凹部９１３ｆ内に貼付けられており、シールカバー部材９５０は、このＩＣタグシール９１５を覆うようにして前方（表側）から主基板ケース９１０に取り付けられる。
【０１４１】
図３６（ａ）および（ｂ）は、主基板ケース９１０の開放を示した図である。なお、これらの図においては、ケース用かしめ部９１２ｂ、９１３ｂおよびケース用かしめピン９１４ａによる封印の解除は図示を省略している。
【０１４２】
上述のように、シールカバー部材９５０の第１遮蔽部９５１は第１係止部９５４によって基板収納体９１２に係止し、第２遮蔽部９５２は第２係止部９５５によって蓋体９１３に係止している。従って、同図（ａ）に示されるように、ヒンジ部９１２ａ、９１３ａを中心に基板収納体９１２および蓋体９１３を揺動させて主基板ケース９１０を開放しようとした場合、シールカバー部材９５０は、第１遮蔽部９５１と第２遮蔽部９５２の間の破断部９５３において剪断力を受け、破断部９５３が破断することとなる。
【０１４３】
従って、同図（ｂ）に示されるように、主基板ケース９１０を開放した場合、シールカバー部材９５０は、第１遮蔽部９５１および第２遮蔽部９５２が分離され、第１遮蔽部９５１が基板収納体９１２の貼付凸部９１２ｄ上に係止して残存した状態、および第２遮蔽部９５２が蓋体９１３の収容凹部９１３ｅ内に係止して残存した状態となる。これにより、主基板ケース９１０を開放した痕跡が残ることとなり、主基板ケース９１０が開放されたことを容易に確認することができるようになっている。
【０１４４】
さらに、本実施形態では、シールカバー部材９５０が破断された場合に、ＩＣタグシール９１５を破断し、ＩＣタグシール９１５の機能を不能化させるようになっている。図３７は、図３６（ａ）のＡ部拡大図である。また、図３８（ａ）は、図３６（ｂ）のＢ部拡大図であり、同図（ｂ）は、図３６（ｂ）のＣ部拡大図である。
【０１４５】
図３７に示されるように、主基板ケース９１０を開放しようとした場合、シールカバー部材９５０は、第１遮蔽部９５１が基板収納体９１２と共に移動し、第２遮蔽部９５２が蓋体９１３と共に移動するため、互いに逆方向に移動する基板収納体９１２および蓋体９１３によって剪断力を受ける。そして、基板収納体９１２および蓋体９１３の揺動に伴って、移動量の多い上部から破断部９５３が徐々に破断していく。
【０１４６】
このとき、蓋体９１３が基板収納体９１２から離れるのに伴ってＩＣタグシール９１５も蓋体９１３と共に移動し、基板収納体９１２の貼付凸部９１２ｄ表面に貼付けられた部分が剥がれようとする。しかし、ＩＣタグシール９１５の貼付凸部９１２ｄ表面に貼付けられた部分は、表側からシールカバー部材９５０の第１遮蔽部９５１によって覆われているため、完全に剥がれることができず、互いに逆方向に移動するシールカバー部材９５０の第１遮蔽部９５１と蓋体９１３の貼付凹部９１３ｆによって剪断力を受けることとなる。従って、ＩＣタグシール９１５は、第１遮蔽部９５１と貼付凹部９１３ｆの境目において、移動量の多い上部から徐々に破断していく。
【０１４７】
主基板ケース９１０が開放された後は、ＩＣタグシール９１５は完全に破断され、図３８（ａ）および（ｂ）に示されるように、蓋体９１３の貼付凹部９１３ｆに貼付けられた部分、および基板収納体９１２の貼付凸部９１２ｄに貼付けられた部分の３つに分離されることとなる。そして、ＩＣタグシール９１５の貼付凹部９１３ｆに貼付けられた部分は、シールカバー部材９５０の第２遮蔽部９５２と共に蓋体９１３に（第２遮蔽部９５２に挟まれた状態で）残存し、ＩＣタグシール９１５の貼付凸部９１２ｄに貼付けられた部分は、シールカバー部材９５０の第１遮蔽部９５１と共に基板収納体９１２に（第１遮蔽部９５１に挟まれた状態で）残存する。
【０１４８】
この状態では、ＩＣタグシール９１５に内蔵されたアンテナが完全に切断されるため、ＩＣタグシール９１５とＩＣタグシールリーダ／ライタの通信が不可能となる。従って、ＩＣタグシール９１５に記憶された情報を外部から読み取ることが不可能となり、ＩＣタグシール９１５の機能が不能化される。
【０１４９】
このように、本実施形態では、主基板ケース９１０を開放する場合に、シールカバー部材９５０と共にＩＣタグシール９１５が破断され、ＩＣタグシール９１５の機能が不能化されるようになっている。これにより、主基板１５６に対する不正行為を行おうとした場合に、主基板ケース９１０の開放においてＩＣタグシール９１５の機能が不能化するため、ＩＣタグシール９１５の機能を生かしたまま主基板１５６に対する不正行為が行われるのを確実に防止することができる。
【０１５０】
＜＜実施形態４＞＞
次に、実施形態４に係る主基板ケース１０１０の構造について詳細に説明する。図３９は、主基板ケース１０１０およびシールカバー部材１０６０の構成を示した分解斜視図である。
【０１５１】
基板収納体１０１２の下側縁には門型のヒンジ部１０１２ｆが２箇所に設けられており、蓋体１０１３の下側縁にはヒンジ部１０１２ｆと係合するフック状のフック部１０１３ｉが２箇所に設けられている。本実施形態では、主基板ケース１０１０を組み立てる場合には、まず、蓋体１０１３のフック部１０１３ｉを基板収納体１０１２のヒンジ部１０１２ｆに係合させ、次に、ヒンジ部１０１２ｆを中心に蓋体１０１３を揺動させて基板収納体１０１２と蓋体１０１３を合わせ、ケース用かしめピン１０１４ａを用いて封印（かしめ）する。
【０１５２】
本実施形態では、基板収納体１０１２の貼付凸部１０１２ｄは横長の矩形状であり、表面には左端から右端にかけて左右方向に連続する取付レール１０１２ｇが形成されている。また、取付レール１０１２ｇの左端部から貼付凸部１０１２ｄの左下角部にかけては、ストッパ壁１０１２ｈが形成されている。
【０１５３】
また、蓋体１０１３の上部中央には、基板収納体１０１２と蓋体１０１３を組み合わせた場合に貼付凸部１０１２ｄが収容される矩形状の凹部１０１３ｊが形成されている。そして、この凹部１０１３ｊの下方には、左右方向に連続する取付レール１０１３ｋが凹部１０１３ｊと略同一の幅にわたって形成されている。この取付レール１０１３ｋの左端部から凹部１０１３ｊの左下角部にかけてはストッパ壁１０１３ｌが形成されている。
【０１５４】
シールカバー部材１０６０は、裏面を窪ませた略矩形平板状の部材であり、取付レール１０１２ｇ、１０１３ｋと係合する係合部１０６１が上下側縁の略全長にわたって設けられている。また、シールカバー部材１０６０の左端部近傍には、係止孔１０６２が形成されており、この係止孔１０６２には、突出部材１０６４が挿入されて係止される。
【０１５５】
突出部材１０６４は、略平板状の基部１０６４と、基部１０６４に突設された棒状の突出部１０６４ｂと、突出部１０６４ｂの基端から外側に向けて斜めに突設された鈎状の２つの係止部１０６４ｃから構成されている。突出部材１０６４は、係止孔１０６２に表側から挿入され、突出部１０６４ｂが裏側に突出した状態でシールカバー部材１０６０に係止する。
【０１５６】
次に、図４０〜図４２を用いて、シールカバー部材１０６０の取り付けおよび取り外しについて説明する。図４０（ａ）および（ｂ）は、シールカバー部材１０６０の取り付け方法を示した図である。
【０１５７】
同図（ａ）に示されるように、シールカバー部材１０６０は、基板収納体１０１２と蓋体１０１３が組み合わされ、ケース用かしめ部１０１２ｂ、１０１３ｂおよびケース用かしめピン１０１４ａによる封印がなされ、ＩＣタグシール１０１５が貼付けられた後に、主基板ケース１０１０に取り付けられる。ＩＣタグシール１０１５は、基板収納体１０１２の貼付凸部１０１２ｄ表面およびその下方の蓋体１０１３の表面に跨って貼付けられる。
【０１５８】
基板収納体１０１２と蓋体１０１３を組み合わせた状態では、基板収納体１０１２の取付レール１０１２ｇおよび蓋体１０１３の取付レール１０１３ｋは略平行となり、基板収納体１０１２のストッパ壁１０１２ｈと蓋体１０１３のストッパ壁１０１３ｌは、略連続した状態となる。そして、ＩＣタグシール１０１５は、２つの取付レール１０１２ｇ、１０１３ｋの間において、基板収納体１０１２の貼付凸部１０１２ｄ表面およびその下方の蓋体１０１３の表面に跨って貼付けられる。
【０１５９】
シールカバー部材１０６０は、右方から上下側縁の係合部１０６１を取付レール１０１２ｇ、１０１３ｋに係合させ、そのまま取付レール１０１２ｇ、１０１３ｋに沿って左方に向けてスライドさせることで主基板ケース１０１０に取り付けられる。そして、同図（ｂ）に示されるように、左端部がストッパ壁１０１２ｈ、１０１３ｌに略当接する遮蔽位置まで、シールカバー部材１０６０はスライドされる。突出部材１０６４は、シールカバー部材１０６０を遮蔽位置に移動させた後に係止孔１０６２に挿入されて、取り付けられる。
【０１６０】
突出部材１０６４がシールカバー部材１６０に係止した状態では、２つの係止部１０６４ｃはシールカバー部材１０６０の裏側の窪み内に位置している。従って、シールカバー部材１０６０が主基板ケース１０１０に取り付けられている場合には、係止部１０６４ｃに外部からアクセスして操作することが不可能となっている。すなわち、本実施形態では、シールカバー部材１０６０を主基板ケース１０１０から取り外さない限り、突出部材１６４をシールカバー部材１０６０から取り外すことができないようになっている。
【０１６１】
図４１（ａ）は、シールカバー部材１０６０が遮蔽位置にあり、突出部材１０６４が取り付けられた状態を示した図である。同図に示されるように、シールカバー部材１０６０は、遮蔽位置においてＩＣタグシール１０１５の全体を遮蔽した状態となる。また、本実施形態では、貼付凸部１０１２ｄの下側面と凹部１０１３ｊの上側面の間に一定の隙間ができるように構成されているため、遮蔽位置にあるシールカバー部材１０６０に取り付けられた突出部材１０６４の突出部１０６４ｂは、ＩＣタグシール１０１５の左側においてこの隙間内に先端部を挿入された状態となる。
【０１６２】
図４１（ｂ）は、シールカバー部材１０６０の取り外し方法を示した図である。上述のように、シールカバー部材１０６０は、上部の係合部１０６１が基板収納体１０１２の取付レール１０１２ｇに係合し、下部の係合部１０６１が蓋体１０１３の取付レール１０１３ｋに係合しているため、シールカバー部材１０６０を取り外さない限り、主基板ケース１０１０を開放できないようになっている。すなわち、シールカバー部材１０６０は主基板ケース１０１０の開放を防止する封印手段としても機能している。
【０１６３】
シールカバー部材１０６０の取り外しは、図示を省略した位置決め部の係止を解除した上で、同図に示されるように、取付レール１０１２ｇ、１０１３ｋに沿ってシールカバー部材１０６０を右方向にスライドさせることによって行う。そして、本実施形態では、シールカバー部材１０６０を取り外すために、遮蔽位置から右方向にスライドさせた場合に、突出部材１０６４がＩＣタグシール１０１５を破断し、ＩＣタグシール１０１５の機能を不能化させるようになっている。
【０１６４】
図４２は、突出部材１０６４によるＩＣタグシール１０１５の破断を拡大して示した図である。シールカバー部材１０６０が右方向に移動すると、これに伴って、突出部材１０６４の突出部１０６４ｂは、貼付凸部１０１２ｄの下側面と凹部１０１３ｊの上側面の間の隙間に沿って右方向に移動することとなる。従って、同図に示されるように、突出１０６４ｂとＩＣタグシール１０１５が干渉し、ＩＣタグシール１０１５は破断される。これにより、ＩＣタグシール１０１５に内蔵されたアンテナが切断されるため、ＩＣタグシール１０１５とＩＣタグシールリーダ／ライタの通信が不可能となる。従って、ＩＣタグシール１０１５に記憶された情報を外部から読み取ることが不可能となり、ＩＣタグシール１０１５の機能が不能化される。
【０１６５】
このように、本実施形態では、シールカバー部材１０６０を取り外す場合に、ＩＣタグシール１０１５の機能が不能化されるようになっている。これにより、主基板１５６に対する不正行為を行おうとした場合に、その前段階のシールカバー部材１０６０の取り外しにおいてＩＣタグシール封印シール１０１５の機能が不能化するため、ＩＣタグシール１０１５の機能を生かしたまま主基板１５６に対する不正行為が行われるのを確実に防止することができる。
【０１６６】
＜＜実施形態５＞＞
次に、実施形態５に係る主基板ケース１２１０の構造について詳細に説明する。図４３は、実施形態５に係る主基板ケース周囲の構成を示した分解斜視図である。
【０１６７】
主基板ケース１２１０は、底面が略矩形の角皿状である基板収納体１２１２および蓋体１２１３を組み合わせて構成される箱体となっている。この主基板ケース１２１０の内部の空間には、遊技に関するプログラムや各種データ等を記憶したＲＯＭや、ＣＰＵ、ＲＡＭ等のその他の電子部品が実装された主基板１５６が収納される。基板収納体１２１２および蓋体１２１３は、それぞれ透光性の樹脂から構成されており、主基板ケース１２１０内部に収納された主基板１５６を外部から視認することが可能となっている。
【０１６８】
基板収納体１２１２の左側縁には門型のヒンジ部１２１２ａが２箇所に設けられている。そして、蓋体１２１３の左側縁にはヒンジ部１２１２ａと係合するフック状のフック部１２１３ａが２箇所に設けられている。主基板ケース１２１０を組み立てる場合には、まず、蓋体１２１３のフック部１２１３ａを基板収納体１２１２のヒンジ部１２１２ａに係合させ、次に、ヒンジ部１２１２ａを中心に蓋体１２１３を揺動させて基板収納体１２１２と蓋体１２１３を合わせ、ケース用かしめピン１２１４ａを用いて封印（かしめ）する。
【０１６９】
基板収納体１２１２および蓋体１２１３の右端部には、ケース用かしめピン１２１４ａを挿入して両者を分離できないように封印（かしめ）するためのケース用かしめ部１２１２ｂ、１２１３ｂが、それぞれ４箇所に設けられている。これらのケース用かしめ部１２１２ｂ、１２１３ｂは、基板収納体１２１２および蓋体１２１３を組み合わせた場合に、基板収納体１２１２のケース用かしめ部１２１２ｂが蓋体１２１３のケース用かしめ部１２１３ｂ内に収容され、ケース用かしめピン１２１４ａが挿入される挿入孔がそれぞれ連通するように構成されている。そして、この連通した挿入孔に挿入されたケース用かしめピン１２１４ａが、ケース用かしめ部１２１２ｂ、１２１３ｂのそれぞれに取り外し不可能に係止するようになっている。
【０１７０】
基板収納体１２１２は、右側部分が主基板１５６を収納するための収納領域１２１２ｃとなっている。そして、この収納領域１２１２ｃと左側領域１２１２ｄの間には両者を隔絶するための隔壁１２１２ｅが設けられている。収納領域１２１２ｃの右上角部および左下角部には、主基板１５６を固定するための係合凸部１２１２ｆが設けられている。また、左側領域１２１２ｄには、左方向に開口し、前後方向（表裏方向）に連続する溝状の凹部１２１２ｇが設けられている。
【０１７１】
基板収納体１２１２と同様に、蓋体１２１３の右側部分は、主基板１５６を収納するための収納領域１２１３ｃとなっている。そして、左側部分は中空状に構成された中空領域１２１３ｄとなっており、収納領域１２１３ｃと中空領域１２１３ｄの間には両者を隔絶するための隔壁１２１３ｅが設けられている。収納領域１２１３ｃの右上角部および左下角部には、主基板１５６を固定するための押圧凸部１２１３ｆが設けられている。また、収納領域１２１３ｃの下端部には、主基板１５６に実装されたコネクタ１２１１ｃに対応する位置に複数のコネクタ孔１２１３ｇが形成されている。
【０１７２】
中空部１２１３ｄの左側面の中央部には、左開口部１２１３ｈが形成され、裏面の中央部には、裏開口部１２１３ｉが形成されている。これらの左開口部１２１３ｈおよび裏開口部１２１３ｉは、連続した１つの開口部となるように形成されている。また、左開口部１２１３ｈおよび裏開口部１２１３ｉは、基板収納体１２１２と蓋体１２１３を組み合わせた場合に基板収納体１２１２の凹部１２１２ｇと連続し、１つの凹溝形状を構成するように形成されている。
【０１７３】
また、蓋体１２１３の上端中央部および下端中央部には、楔形状の係合突起１２１３ｊがそれぞれ設けられている。これらの係合突起１２１３ｊは、主基板ケース１２１０を取付ベース１２３０に取り付ける場合に主基板ケース１２１０の一部と係合する係合手段として機能すると共に、主基板ケース１２１０を取付ベース１２３０から取り外す方向を単一の方向に規制する規制手段として機能する。
【０１７４】
主基板ケース１２１０の左端部中央は、ＩＣタグシール１２１５を貼付ける部分となっている。ＩＣタグシール１２１５は、蓋体１２１３の表面と左側面の境界の角部で折り曲げられて貼付けられる。すなわち、ＩＣタグシール１２１５は、主基板ケース１２１０に表面と左側面に貼付けられる（図４４参照）。さらに、左側面においては、蓋体１２１３と基板収納体１２１２に跨って貼付けられる。従って、本実施形態では、蓋体１２１３と基板収納体１２１２を分離して主基板ケース１２１０を開封するには、ＩＣタグシール１２１５を剥がす、または破断する必要があり、これによっても主基板ケース１２１０を開封した痕跡が残るようになっている。また、本実施形態では、ＩＣタグシール１２１５は、蓋体１２１３の左開口部１２１３ｈと、基板収納体１２１２の凹部１２１２ｇの左方向の開口の大部分を塞ぐようにして貼付けられる。
【０１７５】
次に、取付ベース１２３０について説明する。取付ベース１２３０は、透光性のある樹脂から構成された略矩形の角皿状の部材であり、中央に主基板ケース１２１０を固定して収容するための矩形状の窪みである収容凹部１２３０ａが形成されている。取付ベース１２３０の右側面は開放されており、本実施形態では、取付ベース１２３０に取り付けられた主基板ケース１２１０を取り外す場合には、主基板ケース１２１０を取付ベース１２３０に対し右方向にスライドさせて取り外すようになっている。
【０１７６】
収容凹部１２３０ａ底面の右端部近傍には、２つの制止片１２３１が突設されている。この制止片１２３１は、左方向に向けて突出量が増す楔形状に形成されており、取付ベース１２３０に取り付けられた主基板ケース１２１０の右方向への移動（スライド）を規制するようになっている。また、制止片１２３１は、取付ベース１２３０の一部を切り欠いた舌片状になっており、裏側に向けて押圧して弾性変形させることにより、突出をなくすことができるようになっている。従って、取付ベース１２３０に取り付けられた主基板ケース１２１０を取り外す場合には、制止片１２３１を裏側に向けて押圧した上で主基板ケース１２１０を取付ベース１２３０に対し右方向にスライドさせる。
【０１７７】
収容凹部１２３０ａの上下の内側面には、係合溝１２３２がそれぞれ設けられている。この係合溝１２３２は、主基板ケース１２１０の係合突起１２１３ｊと係合し、主基板ケース１２１０の前後方向（表裏方向）の移動および左方向への移動（スライド）を規制するものである。係合溝１２３２は、左右方向に連続する溝部１２３２ａと、溝部１２３２ａの底面の中間部に突設された楔形状の突起部１２３２ｂから構成されている。また、溝部１２３２ａの表側の左右両端部はそれぞれ開口しており、左側の開口部は、主基板ケース１２１０を取付ベース１２３０に取り付ける場合に係合突起１２１３ｊが挿入される挿入口１２３２ｃ、右側の開口部は、主基板ケース１２１０を取付ベース１２３０から取り外す場合に係合突起１２１３ｊが脱離される脱離口１２３２ｄとなっている。
【０１７８】
また、収容凹部１２３０ａの底面の左側端部近傍には、干渉部材１２３３が突設されている。この干渉部材１２３３は、長方形板の先端部を左方向に向けて突出させたＬ字形状の部材である。干渉部材１２３３は、取付ベース１２３０に主基板ケース１２１０を取り付けた場合に、凹部１２１２ｇ、裏開口部１２１３ｉおよび左開口部１２１３ｈから構成される凹溝形状の中空部（内部）に収容される位置に配置されている。
【０１７９】
＜主基板収納ケースの取り付け、取り外し＞
次に、主基板ケース１２１０の取付ベース１２３０への取り付け、および取り外しについて説明する。図４４（ａ）および（ｂ）は、主基板ケース１２１０の取付ベース１２３０への取付方法を示した図である。
【０１８０】
まず、同図（ａ）に示されるように、取付ベース１２３０に固定される前に、主基板ケース１２１０には、予めケース用かしめ部１２１２ｃ、１２１３ｃおよびケース用かしめピン１２１４ａによる封印がなされ、ＩＣタグシール１２１５が貼付けられている。そして、主基板ケース１２１０は、取付ベース１２３０の係合溝１２３２の挿入口１２３２ｃと係合突起１２１３ｊが対応する位置において前方（表側）から収容凹部１２３０ａ内に収容される。このとき、係合突起１２１３ｊは、挿入口１２３２ｃから溝部１２３２ａ内に進入する。また、取付ベース１２３０の干渉部材１２３３は、主基板ケース１２１０の凹部１２１２ｇ、裏開口部１２１３ｉおよび左開口部１２１３ｈから構成される凹溝形状の内部に収容される。
【０１８１】
次に、同図（ｂ）に示されるように、主基板ケース１２１０を右方向にスライドさせて、主基板ケース１２１０が取付ベース１２３０に固定される取付位置まで移動させる。このとき、係合突起１２１３ｊは、係合溝１２３２の溝部１２３２ａに沿って右方向に移動して突起部１２３２ｂを乗り越える。
【０１８２】
図４５（ａ）〜（ｃ）は、図４５（ｂ）のＡ部を拡大した断面図である。主基板ケース１２１０を右方向に移動させると、係合突起１２１３ｊは、係合溝１２３２の溝部１２３２ａに沿って右方向に移動し、同図（ａ）に示されるように、係合突起１２１３ｊの斜面１２１３ｊ１と突起部１２３２ｂの斜面１２３２ｂ１が当接する。そのまま主基板ケース１２１０を右方向へさらに移動させると、同図（ｂ）に示されるように、係合突起１２１３ｊは、斜面１２１３ｊ１により突起部１２３２ｂを押し上げ、取付ベース１２３０を上方に撓ませながら右方向に移動する。
【０１８３】
そして、係合突起１２１３ｊが突起部１２３２ｂを通過すると、取付ベース１２３０の撓みが戻り、同図（ｃ）に示されるように、係合突起１２１３ｊの垂直面１２１３ｊ２と突起部１２３２ｂの垂直面１２３２ｂ２が対向する状態となると共に、主基板ケース１２１０は取付位置に到達する。従って、取付位置においては、係合突起１２１３ｊの垂直面１２１３ｊ２と突起部１２３２ｂの垂直面１２３２ｂ２が当接することにより、主基板ケース１２１０の左方向への移動が規制されるようになっている。
【０１８４】
図４６（ａ）および（ｂ）は、主基板ケース１２１０の取付ベース１２３０からの取り外し方法を示した図である。
【０１８５】
同図（ａ）は、主基板ケース１２１０が取付位置にある状態を示した図である。同図に示されるように、主基板ケース１２１０は、取付位置においては右側面が制止片１２３１に略当接する状態となっており、右方向への移動が規制された状態となっている。従って、主基板収納ケース１２１０は、取付位置においては、係合溝１２３２の突起部１２３２ｂによって左方向への移動が規制されると共に、制止片１２３１によって右方向への移動が規制された状態となっている。また、係合突起１２１３ｊが係合溝１２３２の溝部１２３２ａ内にあることから、主基板ケース１２１０の前後方向（表裏方向）の移動も規制された状態となっている。すなわち、主基板ケース１２１０は、取付位置においては、取付ベース１２３０に固定された状態となっている。
【０１８６】
また、主基板ケース１２１０が取付位置にある場合、干渉部材１２３３は、同図に示されるように、凹部１２１２ｇ、裏開口部１２１３ｉおよび左開口部１２１３ｈから構成される凹溝形状の内部に収容された状態となっている。従って、干渉部材１２３３は、主基板ケース１２１０およびＩＣタグシール１２１５によって遮蔽された状態となっており、干渉部材１２３３に外部から接触することは略不可能となっている。なお、取付位置においては、干渉部材１２３３の左方向へ突出した部分の先端面がＩＣタグシール１２１５のＩＣタグシール領域１２１５ｃの裏面に略当接した状態となっている。
【０１８７】
主基板ケース１２１０を取付ベース１２３０から取り外す場合には、まず、制止片１２３１による右方向への移動の規制を解除した上で、主基板ケース１２１０を右方向へ移動（スライド）させて、主基板ケース１２１０が取付ベース１２３０から取り外し可能となる取外し位置まで移動させる。同図（ｂ）は、主基板ケース１２１０が取外し位置にある状態を示している。制止片１２３１による規制の解除は、制止片１２３１を裏側に向けて押圧し、突出部分をなくすことで行う。
【０１８８】
主基板ケース１２１０の係合突起１２１３ｊは、取付位置からの右方向への移動に伴い、係合溝１２３２の溝部１２３２ａに沿って移動する。そして、係合突起１２１３ｊは、取外し位置において、係合溝１２３２の脱離口１２３２ｄに対応する位置に到達する。すなわち、取外し位置においては、係合突起１２１３ｊを脱離口１２３２ｄから前方（表側）に向けて脱離させることが可能であり、これによって主基板ケース１２１０を取付ベース１２３０から取り外すことが可能となっている。
【０１８９】
また、本実施形態では、主基板ケース１２１０を取付ベース１２３０から取り外す場合、取付位置から取外し位置までの移動の間にＩＣタグシール１２１５を破断し、ＩＣタグシール１２１５の機能を不能化させるようになっている。
【０１９０】
図４７は、図４６（ｂ）の視線から見たＢ部拡大図である。上述のように、取付位置においては、干渉部材１２３３の左方向へ突出した部分の先端面がＩＣタグシール１２１５のＩＣタグシール領域１２１５ｃの裏面に略当接した状態となっている。この状態から主基板ケース１２１０が右方向に移動することにより、干渉部材１２３３とＩＣタグシール１２１５のＩＣタグシール領域１２１５ｃが干渉し、ＩＣタグシール１２１５ｃの一部が破断される。換言すれば、凹部１２１２ｇ、裏開口部１２１３ｉおよび左開口部１２１３ｈから構成される凹溝形状の内部に収容された干渉部材１２３３が、主基板ケース１２１０の移動に伴い、該凹溝形状の左方の開口部（凹部１２１２ｇの開口部および左開口部１２１３ｈ）を塞いでいたＩＣタグシール１２１５のＩＣタグシール領域１２１５ｃを破断して外部に脱出する。
【０１９１】
ＩＣタグシール１２１５は、ＩＣタグシール領域１２１５ｃの一部が破断されることによって内蔵されたアンテナ１２１５ｃが切断されるため、ＩＣタグシール１２１５とＩＣタグシールリーダ／ライタの通信が不可能となる。従って、ＩＣタグシール１２１５に記憶された情報を外部から読み取ることが不可能となり、ＩＣタグシール１２１５の機能が不能化される。
【０１９２】
このように、本実施形態では、主基板ケース１２１０を取付ベース１２３０から取り外す場合に、ＩＣタグシール１２１５の機能が不能化されるようになっている。これにより、主基板１５６に対する不正行為を行おうとした場合に、その前段階の主基板ケース１２１０の取外しにおいてＩＣタグシール１２１５の機能が不能化するため、ＩＣタグシール１２１５の機能を生かしたまま主基板１５６に対する不正行為が行われるのを確実に防止することができる。
【０１９３】
以上説明したように、上記実施形態に係るパチンコ機は、所定の当否判定条件が成立した場合（例えば、遊技球が始動領域（例えば、普図始動口２２８、第１特図始動口２３０、第２特図始動口２３２）に進入した場合）に当否判定（例えば、特図当否抽選、大当り種別抽選、普図当否抽選）を行なう当否判定手段（例えば、特図関連抽選処理、普図関連抽選処理）と、前記当否判定の結果が特定の当否判定結果（例えば、大当り、当り）である場合に、遊技者に対する有利度が第一の有利度（例えば、可変入賞口２３４が閉鎖中であり遊技球が入賞口に入り難い状態）である第一の制御状態（例えば、通常状態）から該第一の有利度と有利度が異なる第二の有利度である第二の制御状態（例えば、可変入賞口２３４が開放中の状態や、可変入賞口２３４が開放と閉鎖を繰り返す状態、電サポ状態など）に制御状態（例えば、ＲＡＭ３０８に設けた制御状態格納領域に記憶している情報）を移行させる制御状態移行手段（例えば、主制御部３００の基本回路３０２、特図状態更新処理、ＲＡＭ３０８に設けた制御状態格納領域に記憶している情報を更新する処理など）と、を備えた遊技台であって、所定の識別情報（例えば、管理番号を表すバーコード７１８ａ、管理番号を表すＱＲコード７１８ｂ、管理番号を表す文字情報７１８ｃ、模様、線、文字、ＩＣタグのメモリに書き込まれた識別番号等の遊技台固有の情報など）を有する報知手段（例えば、ＩＣタグシール７１７、７１８など）と、前記報知手段を破損させるための破損手段（例えば、ＩＣタグシールカッター７２０ｄ、破断部８５４、シールカバー部材９５０、突出部材１０６４、干渉部材１２３３など）と、を備え、前記破損手段は、前記報知手段および前記破損手段の少なくとも一方の移動に伴って、前記報知手段の少なくとも一部を破損させることを特徴とする遊技台である。なお、本発明における「破損」とは、報知手段が有する識別情報の少なくとも一部を識別不能にすること、あるいは、無機能化することをいい、報知手段を物理的に破損させること（例えば、切断、破壊など）のみならず、例えば、報知手段に強い磁力を与えることによってＩＣタグが有するメモリの情報を消去すること、報知手段に熱を加えてＩＣタグのアンテナを溶かすことなども含まれる。
【０１９４】
上記実施形態に係るパチンコ機によれば、破損手段で報知手段を確実に破損させることができ、不正者による報知手段の再利用を確実に防止することができる場合がある。
【０１９５】
また、上記実施形態に係るパチンコ機は、電子部品（例えば、ＲＯＭ７０６、ＣＰＵ、ＲＡＭ）が実装された制御基板（例えば、主基板１５６）と、前記制御基板を収容する基板ケース（例えば、主基板ケース１５８）と、所定の機器によって非接触で読み取り可能な識別情報を有するシール（例えば、ＩＣタグシール７１６）と、を備えた遊技台であって、前記基板ケースとは別体に構成され、前記シールを破損させるための破損手段（例えば、ＩＣタグシールカッター７６０ｄ）と、前記シールの少なくとも一部を覆う被覆手段（例えば、ＩＣタグシールカバー７６０）と、を備え、前記基板ケースは、前記被覆手段が第一の位置にある場合には、該被覆手段によって開封が阻止されるとともに、前記被覆手段が第二の位置にある場合には、開封が許容され、前記破損手段は、前記被覆手段の前記第一の位置から前記第二の位置への移動に伴って、前記シールを少なくとも破損させるように構成されている、ことを特徴とする遊技台である。
【０１９６】
このような構成とすれば、破損手段が基板ケースとは別体に構成されているため、基板ケースの状態を維持したまま破損手段でシールを破損させ、シールを最適な状態で確実に破損させることができ、不正者によるシールの再利用を防止することができる場合がある。また、被覆手段によってシールを外部から視認不能または視認困難にすることが可能となる上に、被覆手段が第一の位置にある場合には基板ケースの開封を阻止することができるため、基板ケース内部の制御基板に細工を施すような不正行為を未然に防止できる場合がある。
【０１９７】
また、前記破損手段は、有色の部位を含んで構成され、前記破損手段は、前記被覆手段が前記第一の位置にある場合に、前記被覆手段に覆われているとともに、前記被覆手段が前記第一の位置から前記第二の位置に移動する間においても前記被覆手段に覆われ、前記被覆手段の少なくとも一部は、前記破損手段における前記有色の部位を、少なくとも前記第一の位置において識別可能な透明または半透明の部材で構成されていてもよい。
【０１９８】
このような構成とすれば、破損手段は、被覆手段が第一の位置にある場合には、被覆手段に覆われている上に、有色の部位が被覆手段を通して外部から識別可能であるため、破損手段に細工を施して破損手段の移動によるシールの破損を回避するような不正行為（例えば、破損手段の一部を工具などを用いて除去し、シールが破損できないようにする不正行為）を未然に防止したり発見したりできる場合がある。
【０１９９】
また、前記基板ケースは、前記制御基板の部品実装面を覆う第一のカバー体（例えば、蓋体７０４）、および、前記制御基板の前記部品実装面の裏面を覆う第二のカバー体（例えば、基板収納体７０２）を少なくとも含んで構成され、前記シールは、前記第一のカバー体の外面の少なくとも一部を覆う第一の部位、前記制御基板が前記基板ケースに収容された状態において前記第一のカバー体と前記第二のカバー体との間に形成される隙間の少なくとも一部を覆う第二の部位、および前記第二のカバー体の外面の少なくとも一部を覆う第三の部位によって構成され、前記破損手段は、前記被覆手段の前記第一の位置から前記第二の位置への移動に伴って、前記シールにおける第一の部位と該シールにおける第二の部位を少なくとも破損させるように構成されていてもよい。
【０２００】
このような構成とすれば、シールのうちの第一のカバー体を覆う部位（部品実装面側の部位）を破損させることで使用者(店員)の注意を引き、破損の痕跡にいち早く気付かせることができる上に、シールのうちの隙間を覆う部位を破損させることによっても使用者(店員)に確実に基板ケースが開封した痕跡を知らせることができる場合がある。また、基板ケースに支持されない部位を破損させるため、破損手段によるシールの破損が容易であるとともに、破損した部位の一部が破損手段に付着しても当該部位は基板ケースに支持されていないため、破損手段による破損をスムーズに継続することができる場合がある。
【０２０１】
また、遊技に関する制御を行う制御基板（例えば、主基板１５６など）を収納する基板収納体（例えば、基板収納体７０２など）、および前記基板収納体に蓋をして前記制御基板を封止する蓋体（例えば、蓋体７０４など）、を有して構成された基板収納ケース（例えば、主基板ケース１５８など）と、前記報知手段の少なくとも一部を覆う被覆手段（例えば、ＩＣタグシールカバー７２０など）と、を備え、前記被覆手段は、前記報知手段の少なくとも一部を覆う位置において、前記基板収納体に対する前記蓋体の開封および移動の少なくとも一方を阻止するように構成してもよい。
【０２０２】
このような構成とすれば、報知手段の移動防止と基板収納ケースの移動または開封の防止を被覆手段で実現することができ、部品点数を少なくできる場合がある。また、被覆手段で報知手段の取り外し防止及び破損手段以外の外部要因による破損を防止できる場合がある。
【０２０３】
また、前記破損手段は、前記被覆手段とともに第一の位置（例えば、図１２に示すような、被覆手段の取り付け位置）から該第一の位置とは異なる第二の位置（例えば、図２７に示すような、被覆手段を取り外し方向に完全に引き抜いた位置）に移動可能に構成されるとともに、前記第一の位置から前記第二の位置への移動に伴って前記報知手段の少なくとも一部を破損させ、前記被覆手段は、前記第一の位置においては前記基板収納体に対する前記蓋体の開封および移動の少なくとも一方を阻止するが、前記第二の位置においては前記基板収納体に対する前記蓋体の開封および移動の少なくとも一方を阻止しないように構成されていてもよい。
【０２０４】
このような構成とすれば、制御基板に不正をはたらこうと不正者が基板収納ケースを開封または移動しようとした場合に破損手段が移動されることによって報知手段に痕跡が残るため、不正者による報知手段の再利用を防止することができる場合がある。また、基板収納ケースに対する不正行為を検査者が確認することができる場合がある。
【０２０５】
また、前記被覆手段および前記破損手段が前記第二の位置から前記第一の位置の方向に移動することを規制する移動規制手段（例えば、内歯７２０ａや外歯７２０ｄ）を備えてもよい。
【０２０６】
このような構成とすれば、取り外し行為を途中で止められたとしても、シールカバー部材の取り外し行為の証拠をシールカバー部材の位置で把握することができる場合がある。
【０２０７】
また、前記報知手段を設置するための設置部（例えば、ＩＣタグシール設置部７１０）を備え、前記設置部は、前記報知手段を第一の面で支持する第一支持部と、前記第一の面と向きまたは高さが異なる第二の面（例えば、第一の面に直交する面や、第一の面よりも一段高い位置にある面）で支持する第二支持部を備えてもよい。
【０２０８】
このような構成とすれば、報知手段の形状を立体的にすることができ、多方向からの報知手段の視認性を向上させることができる場合がある。
【０２０９】
なお、上記実施形態では、ＩＣタグシールをＩＣタグシールカッターなどによって物理的に切断する例を示したが、ＩＣタグシールを何らかの方法で破損できればよく、例えば、ＩＣタグシールをＩＣタグシールカッターなどによって千切ったり、剥がしたりしてもよい。また、熱や剥離剤によって変質、変色、または変形する材料によってＩＣタグシールを形成し、ＩＣタグシールを熱や剥離剤によって科学的に破損するように構成してもよい。また、塗料が封入されたインク袋を備え、ＩＣタグシールカッターによってインク袋を破損することによってＩＣタグシールにインクを付着させてもよい。また、ＩＣタグシールカッターによってＩＣタグシールに線や色などの目印を付けてもよい。ＩＣタグシールカッターの形状も上記実施形態で示した例に限定されない。
【０２１０】
また、ＩＣタグシールの配設場所（貼付場所）は上記実施形態で示した例に限定されず、例えば、基板収容体と蓋体とを固定する固定手段（例えば、ネジやカシメ）を設け、この固定手段の少なくとも一部を覆うようにしてＩＣタグシールを配設してもよい。このような構成とすれば、固定手段を不正に解除するような不正行為が行われた場合でも、不正行為の痕跡を容易に発見することが可能となるため、不正行為を未然に抑止できる場合がある。
【０２１１】
また、ＩＣタグシールカバーのＩＣタグシール設置部への取り付け方法は、上記実施形態で示した例に限定されず、例えば、ＩＣタグシールカバーをＩＣタグシール設置部の所定位置に取り付けた後にＩＣタグシールカバーを溶着してＩＣタグシール設置部に固定してもよい。
【０２１２】
また、ＩＣタグシールカバーを透明または半透明の材料によって形成する例を示したが、例えば、ＩＣタグシールカッター部分のみを有色とすれば、他の部材よりもＩＣタグシールカッターを目立たせることができ、不正行為を効果的に抑止できる場合がある。また、ＩＣタグシールカバーがＩＣタグシールを押さえるようにしてもよい。このような構成とすれば、熱や剥離剤などによってＩＣタグシールを剥がす不正行為が行われたとしてもＩＣタグが配設場所から離れることを防止することができる場合がある。また、上記各実施形態は、相互に実施可能である。
【０２１３】
また、本発明に係る遊技台は、上記した各実施例に限定されるものではなく、本発明の要旨を逸脱しない範囲内において種々変更を加え得ることは勿論である。例えば、上記パチンコ機１００（１種）以外に、パチンコ機（２種、３種）、封入式パチンコ機、およびパチロット等にも適用することができるし、アレンジボール遊技機、じゃん球遊技機、スマートボール等にも適用することができる。
【０２１４】
また、例えば、メダル（コイン）を遊技媒体としたスロットマシンなどにも適用可能である。ここで、本発明が適用されるスロットマシンとしては、複数種類の図柄が施された複数のリールと、前記複数のリールの回転を開始させるスタートスイッチと、前記複数のリールの各々に対応して設けられ、前記リールの回転を個別に停止させるストップスイッチと、予め定められた複数種類の入賞役の内部当選の当否を抽選により判定する抽選手段と、停止時の前記複数のリールにより表示された図柄の組合せが前記抽選手段により内部当選した入賞役の図柄組合せであるか否かにより前記入賞役への入賞を判定する判定手段と、を備えたものが一例として挙げられる。
【０２１５】
また、本発明の実施例に記載された作用および効果は、本発明から生じる最も好適な作用および効果を列挙したに過ぎず、本発明による作用および効果は、本発明の実施例に記載されたものに限定されるものではない。
【産業上の利用可能性】
【０２１６】
本発明は、スロットマシンやパチンコ機等に代表される遊技台の分野で特に利用することができる。
【符号の説明】
【０２１７】
１００  パチンコ機
１３６  チャンスボタン
１５６  主基板
１５８  主基板ケース
２０８  装飾図柄表示装置
２１０  普図表示装置
２１２  第１特図表示装置
２１４  第２特図表示装置
２２４  演出可動体
２２６  一般入賞口
２２８  普図始動口
２３０  第１特図始動口
２３２  第２特図始動口
２３４  可変入賞口
３００  主制御部
４００  第１副制御部
５００  第２副制御部
７０２  基板収容体
７０４  蓋体
７１０  ＩＣタグシール設置部
７１６  ＩＣタグシール
７２０  ＩＣタグシールカバー
７２０ｄ  ＩＣタグシールカッター
【図１】
0005497812.tif 000002
【図２】
0005497812.tif 000003
【図３】
0005497812.tif 000004
【図４】
0005497812.tif 000005
【図５】
0005497812.tif 000006
【図６】
0005497812.tif 000007
【図７】
0005497812.tif 000008
【図８】
0005497812.tif 000009
【図９】
0005497812.tif 000010
【図１０】
0005497812.tif 000011
【図１１】
0005497812.tif 000012
【図１２】
0005497812.tif 000013
【図１３】
0005497812.tif 000014
【図１４】
0005497812.tif 000015
【図１５】
0005497812.tif 000016
【図１６】
0005497812.tif 000017
【図１７】
0005497812.tif 000018
【図１８】
0005497812.tif 000019
【図１９】
0005497812.tif 000020
【図２０】
0005497812.tif 000021
【図２１】
0005497812.tif 000022
【図２２】
0005497812.tif 000023
【図２３】
0005497812.tif 000024
【図２４】
0005497812.tif 000025
【図２５】
0005497812.tif 000026
【図２６】
0005497812.tif 000027
【図２７】
0005497812.tif 000028
【図２８】
0005497812.tif 000029
【図２９】
0005497812.tif 000030
【図３０】
0005497812.tif 000031
【図３１】
0005497812.tif 000032
【図３２】
0005497812.tif 000033
【図３３】
0005497812.tif 000034
【図３４】
0005497812.tif 000035
【図３５】
0005497812.tif 000036
【図３６】
0005497812.tif 000037
【図３７】
0005497812.tif 000038
【図３８】
0005497812.tif 000039
【図３９】
0005497812.tif 000040
【図４０】
0005497812.tif 000041
【図４１】
0005497812.tif 000042
【図４２】
0005497812.tif 000043
【図４３】
0005497812.tif 000044
【図４４】
0005497812.tif 000045
【図４５】
0005497812.tif 000046
【図４６】
0005497812.tif 000047
【図４７】
0005497812.tif 000048